(57)【要約】カメラ識別情報を電子ペーパー表示部に表示して、電源オフ時にも識別情報の確認を可能とした構成を実現する。カメラ識別情報を表示する電子ペーパー表示部と、表示する識別情報、または識別情報の指定情報を入力して表示処理を実行する制御部を有する。制御部は、外部装置、または外部メモリ、またはカメラの内部メモリから、識別情報、または識別情報の指定情報を入力して、識別情報、または識別情報と付加情報の合成情報を電子ペーパー表示部に表示する。また、電子ペーパー表示モジュールはカメラ装置において実行可能な処理を規定するオプションキーを格納したセキュアメモリを有する。
2019087812.tif 000002
【特許請求の範囲】
【請求項１】
カメラ装置の識別情報を表示する電子ペーパー表示部と、
所定の操作に対応して、前記識別情報の表示制御を行う制御部を有し、
前記表示部に表示される前記識別情報は、前記表示部に対する電力供給によらず表示が維持される、
表示装置。
【請求項２】
前記制御部は、
前記所定の操作として、前記カメラ装置と通信する外部装置からの通信部を介する前記識別情報、または前記識別情報に対応する指定情報の入力に応じて、前記電子ペーバ表示部に前記識別情報を表示する請求項１に記載の表示装置。
【請求項３】
前記制御部は、
前記所定の操作として、前記カメラ装置に装着された外部メモリから、前記識別情報、または前記識別情報に対応する指定情報の入力に応じて、前記電子ペーバ表示部に前記識別情報を表示する請求項１に記載の表示装置。
【請求項４】
前記制御部は、
前記所定の操作として、前記カメラ装置内の内部メモリから、前記識別情報、または前記識別情報に対応する指定情報の入力に応じて、前記電子ペーバ表示部に前記識別情報を表示する請求項１に記載の表示装置。
【請求項５】
前記制御部は、
前記識別情報と付加情報との合成情報を前記電子ペーパー表示部に表示する請求項１に記載の表示装置。
【請求項６】
前記制御部は、
前記付加情報を前記カメラ装置内の内部メモリから取得して、前記識別情報との合成処理を実行して前記合成情報を生成する請求項５に記載の表示装置。
【請求項７】
前記付加情報は、
前記カメラ装置を利用する会社名、または利用者名、または前記カメラ装置固有のＩＰアドレス、または前記カメラ装置の実行可能な処理またはソフトウェア情報の少なくともいずれかの情報を含む請求項５に記載の表示装置。
【請求項８】
前記制御部は、
ユーザの操作、または所定の条件に応じて、前記合成情報の表示態様の切り替え制御を行う請求項５に記載の表示装置。
【請求項９】
前記表示装置は、
前記カメラ装置に着脱可能な電子ペーパーモジュールとして構成されており、
前記電子ペーパーモジュールは、
前記電子ペーパー表示部と、セキュアメモリを有し、
前記セキュアメモリは、
前記カメラ装置において、特定の処理を実行可能とするためのキーデータであるオプションキーを格納した構成である請求項１に記載の表示装置。
【請求項１０】
前記オプションキーは、
前記カメラ装置からの許容出力データフォーマット、またはカメラ装置の許容接続構成、カメラ装置の許容実行機能の少なくともいずれかを規定するために必要となるデータである請求項９に記載の表示装置。
【請求項１１】
前記電子ペーパーモジュールは、さらに、
モジュール制御部を有し、
前記モジュール制御部は、
前記セキュアメモリに対するアクセス要求装置との認証処理を実行し、認証成立を条件として、前記アクセス要求装置による前記セキュアメモリに対するアクセスを許容する処理を実行する請求項９に記載の表示装置。
【請求項１２】
撮像部と、
カメラ装置の識別情報を表示する電子ペーパー表示部と、
所定の操作に対応して、前記識別情報を表示する制御部を有し、
前記表示部に表示される前記識別情報は、前記表示部に対する電力供給によらず表示が維持される、
カメラ装置。
【請求項１３】
前記制御部は、
前記所定の操作として、外部装置、または外部メモリ、または前記カメラ装置内の内部メモリから、前記識別情報、または前記識別情報に対応する指定情報の入力に応じて、前記電子ペーバ表示部に識別情報を表示する請求項１２に記載のカメラ装置。
【請求項１４】
前記制御部は、
前記識別情報と付加情報との合成情報を前記電子ペーパー表示部に表示する請求項１２に記載のカメラ装置。
【請求項１５】
前記電子ペーパー表示部は、
前記カメラ装置に着脱可能な電子ペーパーモジュール内に構成されている請求項１２に記載のカメラ装置。
【請求項１６】
前記電子ペーパーモジュールは、
前記電子ペーパー表示部と、セキュアメモリを有し、
前記セキュアメモリは、
前記カメラ装置からの許容出力データフォーマット、またはカメラ装置の許容接続構成、カメラ装置の許容実行機能の少なくともいずれかを規定するために必要となるオプションキーを格納した構成である請求項１５に記載のカメラ装置。
【請求項１７】
前記制御部は、
前記電子ペーパーモジュールとの認証処理を実行し、
認証成立を条件として前記セキュアメモリにアクセスする請求項１６に記載のカメラ装置。
【請求項１８】
表示装置において実行する識別情報表示方法であり、
制御部が、カメラ装置の識別情報、または識別情報に対応する指定情報の入力に応じて表示情報を生成し、
生成した前記表示情報を、電力供給によらず表示が維持される電子ペーバ表示部に表示する識別情報表示方法。
【請求項１９】
カメラ装置において実行する情報処理方法であり、
前記カメラ装置は、電力供給によらず表示が維持される電子ペーパー表示部を有する電子ペーパーモジュールを装着した構成であり、
前記カメラ装置の制御部が、前記電子ペーパーモジュールとの認証処理を実行するステップと、
前記制御部が、前記認証処理の成立を条件として、前記電子ペーパーモジュール内のセキュアメモリからオプションキーを取得するステップと、
前記制御部が、前記オプションキーの取得を条件として許容される処理を実行するステップと、
を実行する情報処理方法。
【請求項２０】
カメラ装置において情報処理を実行させるプログラムであり、
前記カメラ装置は、電力供給によらず表示が維持される電子ペーパー表示部を有する電子ペーパーモジュールを装着した構成であり、
前記プログラムは、
前記カメラ装置の制御部に、前記電子ペーパーモジュールとの認証処理を実行させるステップと、
前記制御部に、前記認証処理の成立を条件として、前記電子ペーパーモジュール内のセキュアメモリからオプションキーを取得させるステップと、
前記制御部が、前記オプションキーの取得を条件として許容される処理を実行させるステップと、
を実行させるプログラム。
【発明の詳細な説明】
【技術分野】
【０００１】
本開示は、表示装置、カメラ装置、および方法、並びにプログラムに関する。さらに詳細には、電子ペーパーを利用した識別情報等の表示を行う表示装置、カメラ装置、および方法、並びにプログラムに関する。
【背景技術】
【０００２】
例えば、放送番組等の映像コンテンツを制作する放送局やプロダクションなどでは、多数のカメラが利用される。
具体的には、例えばサッカースタジアムでのサーカーの試合中継では、様々な方向からの画像を撮影するため、スタジアムの各所にカメラを配置することが必要となる。
また、スタジオ内の番組やドラマの撮影などにおいても、様々な角度からの異なる画像を撮影するため、多数のカメラが利用される。【０００３】
これらの多数のカメラの撮影画像は、例えば中継器を介して編集室内のコントローラに転送され、編集者（オペレータ）が、各カメラの撮影画像から最適画像を選択し、放送波を介して送信、あるいはレコーダに記録するといった処理が行われる。【０００４】
このような多数のカメラが利用される環境では、カメラ各々を識別可能とするために、各カメラに識別子（ＩＤ）が設定される。
具体的には、例えばカメラナンバー（Ｎｏ．）である。
例えば、Ｎ台のカメラを利用する場合、各カメラには、カメラナンバー１〜Ｎの各番号が設定され、各カメラナンバーに対応付けて、カメラ位置やカメラマンを割り振るといった処理が行われる。【０００５】
各カメラにカメラナンバーを設定するために従来から行われてきた一般的な処理は、カメラナンバーを記録した紙やプラスチック等のプレートを各カメラに装着する処理である。
すなわち、カメラナンバー、例えばＮｏ．１〜Ｎｏ．ｎの各番号を印刷、あるいは手書きしたカメラナンバー記録プレートを準備して、このプレートを各カメラのプレート固定枠に装着する構成である。【０００６】
しかし、１台のカメラは、様々な番組の撮影に利用され、カメラナンバーは、撮影ごとに変更が必要となる場合が多い。
また、放送局で使用するカメラは、極めて高価であるため、１つの放送局での利用に限らず、さまざまなコンテンツ制作会社に貸し出し（レンタル）されることが多く、また、異なる放送局間で貸し出しが行われることもある。【０００７】
このように１台のカメラが様々な利用者によって利用される場合、新たなカメラ利用者は、その都度、新たにカメラナンバーを設定する。
従って、各利用者は、カメラナンバーを記録したプレートを準備し、各カメラに装着するといった処理を行うことが必要となる。
これらの処理は、利用者の負担を増加させることになる。【０００８】
なお、この問題を解決する一つの構成を提案した従来技術として、例えば特許文献１（特開２０００−０１３６４９号公報）がある。
特許文献１には、カメラにカメラ識別情報を表示する表示部を設け、この表示部にカメラナンバー等のカメラ識別情報を表示する構成である。
しかし、この特許文献１に記載された表示部は、ＬＥＤや液晶表示装置によって構成されたものであり、カメラ電源をＯＦＦにした場合、表示が消えてしまうという問題がある。【０００９】
多数のカメラを、各カメラ対応の設置位置に設置する処理や、カメラと中継器や編集装置と接続する事前処理工程では、カメラ電源を入れることなく準備を行うことが多い。
カメラ電源を入れないとＬＥＤや液晶表示装置によって構成された表示部には、カメラ識別子が表示されず、作業が困難になるという問題が発生する。
【先行技術文献】
【特許文献】
【００１０】
【特許文献１】特開２０００−０１３６４９号公報
【発明の概要】
【発明が解決しようとする課題】
【００１１】
本開示は、例えば、上記の問題点に鑑みてなされたものであり、識別子を記録したプレートを利用することなく、さらに、カメラの電源をＯＦＦにした状態でもカメラ識別子を表示し確認可能とした表示装置、カメラ装置、および方法、並びにプログラムを提供することを目的とする。
【課題を解決するための手段】
【００１２】
本開示の第１の側面は、
カメラ装置の識別情報を表示する電子ペーパー表示部と、
所定の操作に対応して、前記識別情報の表示制御を行う制御部を有し、
前記表示部に表示される前記識別情報は、前記表示部に対する電力供給によらず表示が維持される、
表示装置にある。【００１３】
さらに、本開示の第２の側面は、
撮像部と、
カメラ装置の識別情報を表示する電子ペーパー表示部と、
所定の操作に対応して、前記識別情報を表示する制御部を有し、
前記表示部に表示される前記識別情報は、前記表示部に対する電力供給によらず表示が維持される、
カメラ装置にある。【００１４】
さらに、本開示の第３の側面は、
表示装置において実行する識別情報表示方法であり、
制御部が、カメラ装置の識別情報、または識別情報に対応する指定情報の入力に応じて表示情報を生成し、
生成した前記表示情報を、電力供給によらず表示が維持される電子ペーバ表示部に表示する識別情報表示方法にある。【００１５】
さらに、本開示の第４の側面は、
カメラ装置において実行する情報処理方法であり、
前記カメラ装置は、電力供給によらず表示が維持される電子ペーパー表示部を有する電子ペーパーモジュールを装着した構成であり、
前記カメラ装置の制御部が、前記電子ペーパーモジュールとの認証処理を実行するステップと、
前記制御部が、前記認証処理の成立を条件として、前記電子ペーパーモジュール内のセキュアメモリからオプションキーを取得するステップと、
前記制御部が、前記オプションキーの取得を条件として許容される処理を実行するステップと、
を実行する情報処理方法にある。【００１６】
さらに、本開示の第５の側面は、
カメラ装置において情報処理を実行させるプログラムであり、
前記カメラ装置は、電力供給によらず表示が維持される電子ペーパー表示部を有する電子ペーパーモジュールを装着した構成であり、
前記プログラムは、
前記カメラ装置の制御部に、前記電子ペーパーモジュールとの認証処理を実行させるステップと、
前記制御部に、前記認証処理の成立を条件として、前記電子ペーパーモジュール内のセキュアメモリからオプションキーを取得させるステップと、
前記制御部が、前記オプションキーの取得を条件として許容される処理を実行させるステップと、
を実行させるプログラムにある。【００１７】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１８】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１９】
本開示の一実施例の構成によれば、カメラ識別情報を電子ペーパー表示部に表示して、電源オフ時にも識別情報の確認を可能とした構成が実現される。
具体的には、例えば、カメラ識別情報を表示する電子ペーパー表示部と、表示する識別情報、または識別情報の指定情報を入力して表示処理を実行する制御部を有する。制御部は、外部装置、または外部メモリ、またはカメラの内部メモリから、識別情報、または識別情報の指定情報を入力して、識別情報、または識別情報と付加情報の合成情報を電子ペーパー表示部に表示する。また、電子ペーパー表示モジュールはカメラ装置において実行可能な処理を規定するオプションキーを格納したセキュアメモリを有する。
本構成により、カメラ識別情報を電子ペーパー表示部に表示して、電源オフ時にも識別情報の確認を可能とした構成が実現される。
なお、本明細書に記載された効果はあくまで例示であって限定されるものではなく、また付加的な効果があってもよい。
【図面の簡単な説明】
【００２０】
【図１】カメラ装置に対する一般的な識別子表示構成例を示す図である。
【図２】本開示のカメラ装置の構成例を示す図である。
【図３】本開示のカメラ装置の構成例を示す図である。
【図４】カメラ装置の接続構成の一例を示す図である。
【図５】カメラ装置を無線接続した撮影システム構成例について説明する図である。
【図６】１台のカメラ装置を無線接続した撮影システム構成例について説明する図である。
【図７】カメラ装置の一構成例を示すブロック図である。
【図８】カメラ装置の電子ペーパー表示部にカメラ識別子（ＩＤ）であるカメラナンバーを表示した例を示す図である。
【図９】電子ペーパー表示部にカメラ識別子（ＩＤ）を表示させるための処理シーケンスについて説明するシーケンス図である。
【図１０】外部００メモリを接続したカメラ装置の構成例を示すブロック図である。
【図１１】外部メモリに格納されたカメラ識別子データを読み出して、電子ペーパー表示部に表示する処理を行うシーケンスについて説明するシーケンス図である。
【図１２】識別データをカメラ装置の内部のメモリから読み出して電子ペーパー表示部に表示する処理を行うシーケンスについて説明するシーケンス図である。
【図１３】カメラ装置の電子ペーパー表示部にカメラ識別子（ＩＤ）と、カメラ装置を利用する会社名等の付加データを併せて表示した例について説明する図である。
【図１４】電子ペーパー表示部にカメラ識別子（ＩＤ）とその他の付加データを併せて表示させるための処理シーケンスについて説明する図である。
【図１５】電子ペーパー表示部に表示するデータ例について説明する図である。
【図１６】電子ペーパーモジュールの構成例と利用例を説明する図である。
【図１７】電子ペーパーモジュールの構成例について説明する図である。
【図１８】電子ペーパーモジュールを装着したカメラ装置の構成例について説明する図である。
【図１９】電子ペーパーモジュール内の電子ペーパー表示部に対するデータ表示シーケンスの一例について説明する図である。
【図２０】オプションキーの具体例について説明する図である。
【図２１】電子ペーパーモジュールのセキュアメモリに対するオプションキーの記録処理（書き込み）のシーケンスについて説明する図である。
【図２２】外部メモリに格納されたオプションキーを電子ペーパーモジュール内部のセキュアメモリに記録する処理について説明する図である。
【図２３】カメラコントロールユニット（ＣＣＵ）に格納されたオプションキーを電子ペーパーモジュール内部のセキュアメモリに記録する処理について説明する図である。
【図２４】電子ペーパーモジュール内部のセキュアメモリに格納されたオプションキーの利用処理シーケンスについて説明する図である。
【図２５】電子ペーパーモジュール内部のセキュアメモリに格納されたオプションキーの利用処理とキー対応情報の表示処理シーケンスについて説明する図である。
【図２６】内視鏡手術システムの概略的な構成の一例を示す図である。
【図２７】カメラヘッド及びＣＣＵの機能構成の一例を示すブロック図である。
【発明を実施するための形態】
【００２１】
以下、図面を参照しながら本開示の表示装置、カメラ装置、および方法、並びにプログラムの詳細について説明する。なお、説明は以下の項目に従って行なう。
１．カメラ装置における一般的なカメラ識別子表示構成例について
２．本開示のカメラ装置の構成例について
３．カメラ装置の接続構成例について
４．カメラ装置の構成例について
５．電子ペーパー表示部に対するデータ表示の具体的処理例について
５−１．（表示処理例１）電子ペーパー表示部にカメラ識別子（ＩＤ）のみを表示する処理例
５−２．（表示処理例２）電子ペーパー表示部にカメラ識別子（ＩＤ）に併せて、その他のデータを表示する処理例
６．電子ペーパー表示部に対するデータ表示構成例について
７．電子ペーパー表示部とデータ処理部を備えた電子ペーパーモジュールの構成例について
８．内視鏡手術システムへの応用例
９．本開示の構成のまとめ
【００２２】
［１．カメラ装置における一般的なカメラ識別子表示構成例について］
まず、図１を参照してカメラ装置における一般的なカメラ識別子の表示構成例について説明する。
図１は、カメラ装置に対する一般的なカメラ識別子表示構成例を示す図である。
図１に示すカメラ装置１０は、例えば、放送番組等の映像コンテンツを制作する放送局やプロダクションなどで利用される多数のカメラ（ビデオカメラ）の一台である。
【００２３】
前述したように、サッカー中継等のスポーツ中継では、様々な方向からの画像を撮影するため、スタジアムの各所にカメラを配置することが必要となる。また、スタジオ内の番組やドラマの撮影などにおいても、様々な角度からの異なる画像を撮影するため、多数のカメラが利用される。
【００２４】
このような多数のカメラが利用される環境では、カメラ各々を識別可能とするために、各カメラに識別子（ＩＤ）、例えば、カメラナンバーを設定することが必要となる。
図１に示す例は、各カメラにカメラナンバーを設定するため従来から行われてきた例であり、カメラナンバーを記録した紙やプラスチック等のプレート、すなわち、図１に示すカメラ識別子記録プレート１２をカメラに装着する構成である。
【００２５】
図１左上部のカメラ装置（プレート装着前）１０に示すように、カメラ装置１０の側面にはプレート装着部１１が構成されている。
カメラ識別子記録プレート１２を、カメラ装置１０のプレート装着部１１に装着することで、図１の右下のカメラ装置（プレート装着後）１０に示すように、カメラ識別子（カメラナンバー）＝３の設定されたカメラ装置１０とすることができる。
【００２６】
例えばＮ台のカメラを利用する場合、Ｎｏ．１〜Ｎｏ．ｎの各番号を印刷、あるいは手書きしたカメラナンバー記録プレートを準備して、このプレートを各カメラのプレート装着部に装着する。
このような処理を行うことで、多数のカメラを識別することが可能となり、カメラ配置やカメラの接続を間違いなく行うことができ、また、編集室と各カメラ間のコミュニケーションも誤りなく行うことが可能となる。
【００２７】
しかし、前述したように、カメラは、様々な番組等のコンテンツの撮影に利用され、利用者も様々である。１台のカメラが様々な利用者によって利用される場合、新たなカメラ利用者は、その都度、新たにカメラナンバーを設定することになる。各利用者は、カメラナンバーを記録したプレートを準備し、各カメラに装着するといった処理を行うことが必要となる。
これらの処理は、利用者の負担を増加させることになる。
【００２８】
本開示の構成は、このような問題を解決すべく、図１に示すようなカメラ識別子記録プレート１２の装着を不要とした構成である。
以下、本開示の構成について説明する。
【００２９】
［２．本開示のカメラ装置の構成例について］
図２以下を参照して、本開示のカメラ装置の構成例について説明する。
図２は、本開示のカメラ装置１００の構成例を示す図である。
図２に示すカメラ装置１００の側面には電子ペーパー表示部１０１が構成されている。
【００３０】
電子ペーパー表示部１０１は、電子ペーパーを用いて様々な表示情報を出力可能とした表示部である。
なお、電子ペーパーは、例えば電気泳動方式による情報表示を行う構成である。具体的には、表示面に白色と黒色の粒子を格納したマイクロカプセルを配列し、マイクロカプセル内部の白色と黒色の粒子を電解によって移動させて、各マイクロカプセル単位で白または黒の粒子を表示部の表面側に移動させることで白黒のデータ表示を行う。
【００３１】
このマイクロカプセル内の粒子は、移動させる際にマイクロカプセル単位の電圧による制御を必要とするが、移動させた後は、電圧印加を停止してもカプセル内の粒子は簡単に移動しないため、電力供給を継続することなくデータ表示を継続させることができる。
【００３２】
すなわち、電子ペーパー表示部に、一旦、表示されたデータは、電子ペーパーに対する電力供給を停止しても、継続して表示されることになり、印刷物と同様、電力不要のデータ表示を行うことができる。
表示データを変更する場合には、電力を供給して表示データに応じて各マイクロカプセル内の粒子を移動させればよい。
【００３３】
なお、電子ペーパーには、上記の電機泳動方式の他にも複数の異なる方式がある。本開示の電子ペーパー表示部１０１は、特に方式は限定されるものではない。ただし、電子ペーパー表示部１０１に対する電力供給の停止後においても、電子ペーパー表示部１０１の表示データを継続表示可能な方式を用いることが好ましい。
【００３４】
図２には、カメラ装置１００の側面の電子ペーパー表示部１０１に対する表示データ例として、（ａ）〜（ｃ）の３つの例を示している。
【００３５】
表示例（ａ），（ｂ）は、カメラ識別子（ＩＤ）に相当するカメラナンバーを電子ペーパー表示部１０１に表示した例である。
表示例（ｃ）は、カメラ識別子（ＩＤ）に相当するカメラナンバーを電子ペーパー表示部１０１の下部に表示し、上部にカメラ利用者の会社の会社名を示すロゴ、例えば放送局名ロゴを表示した例である。
【００３６】
これらの電子ペーパー表示部１０１に対する表示データは、カメラ装置１００の電源をＯＦＦにしても、継続表示される。従って、カメラ電源を切った状態で、表示データを確認してカメラ配置やカメラの接続を間違いなく行うことができる。
【００３７】
さらに、電子ペーパー表示部１０１に対する表示データの切り替えも、容易に行うことができる。
【００３８】
なお、図２には、電子ペーパー表示部１０１をカメラ装置１００の右側面に配置した例を示しているが、例えば図３に示すように、電子ペーパー表示部１０１をカメラ装置１００の左側面に配置してもよい。さらに、カメラ装置１００の後面や上面等に配置する設定も可能である。
なお、図２、図３に示すデータ表示例は一部に過ぎず、この他、多数の異なるデータ表示が可能である。他の異なるデータ表示例については後段で説明する。
【００３９】
［３．カメラ装置の接続構成例について］
次に、図２を参照して説明した電子ペーパー表示部１０１を有するカメラ装置１００の接続構成例について説明する。
【００４０】
図４は、カメラ装置１００の接続構成の一例を示す図である。
カメラ装置１００は、例えば、放送番組等の映像コンテンツを制作する放送局やプロダクションなどで利用されるビデオカメラである。
スポーツ中継や、スタジオ内の番組やドラマの撮影などにおいて、様々な角度からの異なる画像を撮影するため、多数のカメラ装置（ビデオカメラ）が利用される。
図４にはＮ台のカメラ装置を利用した撮影システム構成の一例を示している。
【００４１】
カメラ装置１００は、カメラ装置１００を個別に制御するカメラ装置対応のカメラコントロールユニット（ＣＣＵ：Ｃａｍｅｒａ  Ｃｏｎｔｒｏｌ  Ｕｎｉｔ）１１０に個別に接続される。
カメラ装置１００の取得した画像、音声信号は、接続されたＣＣＵ１１０内で処理される。
【００４２】
さらに、各ＣＣＵ１１０から出力される信号は、中継器（ＨＵＢ）１２１を介してコントローラ（リモコン）１２２に出力され、例えばコントローラ（リモコン）１２２側で選択した映像がモニタ１２３に出力される。さらに、放送波として外部に出力される。
【００４３】
コントローラ（リモコン）１２２は、オペレータにより、様々な操作が可能であり、接続されたカメラの全ての映像をモニタ１２３に出力することも可能である。
また、コントローラ（リモコン）１２２から、各カメラ装置１００に対して、個別に制御信号を出力して、取得画像の制御等を行うこともできる。
【００４４】
図４に示す撮影システムの構成例は、カメラ装置１００、ＣＣＵ１１０、コントローラ（リモコン）１２２、およびモニタ１２３の各システム構成要素をケーブルによって有線接続した構成であるが、これらの接続は無線接続とすることも可能である。
【００４５】
図５に無線接続した撮影システムの構成例を示す。
図５に示す撮影システムは、カメラ装置１００、コントローラ（リモコン）１２２、およびモニタ１２３の各システム構成要素を、中継器（ワイヤレス中継器）１２４を介してデータ通信可能とした撮影システムの構成例である。
【００４６】
なお、図５に示す構成は、カメラ装置１００を個別に制御するＣＣＵを省略し、図４を参照して説明したＣＣＵ１１０で実行する制御をカメラ装置１００自身、あるいはコントローラ（リモコン）１２２において行う構成例である。
図５に示す構成に、各カメラ装置１００対応のＣＣＵ１１０を追加し、カメラ装置１００とコントローラ１２２間の通信を、ＣＣＵ１１０を介して実行する構成も可能である。
【００４７】
図４、図５を参照して説明した構成例は、複数のカメラ装置１００を有する設定であるが、例えば図６に示すように、カメラ装置１００を１台のみとしたシステム構成も可能である。
また、各機器間の接続は、有線接続、無線接続いずれでも可能であり、これらの接続構成を組み合わせて利用することも可能である。
例えば、カメラ装置１００と中継器（ワイヤレス中継器）１２４間の接続を無線接続とし、中継器（ワイヤレス中継器）１２４とコントローラ（リモコン）１２２およびモニタ１２３との接続を有線接続するといった構成も可能である。
【００４８】
［４．カメラ装置の構成例について］
次に、図７を参照してカメラ装置１００の構成例について説明する。
図７は、カメラ装置１００の一構成例を示すブロック図である。
カメラ装置１００は、図７に示すように、電子ペーパー表示部（ＥＰＤ：Ｅｌｅｃｔｒｉｃ  Ｐａｐｅｒ  Ｄｉｓｐｌａｙ）１３１、制御部（ＣＰＵ）１３２、メモリ（ＲＡＭ，ＲＯＭ等）１３３、記憶部（ＨＤ等）１３４、入力部１３５、入出力インタフェース１３６、画像処理部１３７、通信部１３８を有する。
画像処理部１３７は、撮像部１４１、ＡＤ変換部１４２、ＤＳＰ（Ｄｉｇｉｔａｌ  Ｓｉｇｎａｌ  Ｐｒｏｃｅｓｓｏｒ）１４３を有する。
【００４９】
なお、図７に示すカメラ装置１００の構成例は、カメラ装置１００の主要部の構成のみを示している。カメラ装置１００内には、図７に示す構成の他、例えば音声処理部や、撮影画像を確認するためのディスプレイや、電力供給のためのバッテリ、電源スイッチ等、様々な構成要素を有する。
【００５０】
電子ペーパー表示部１３１は、先に図２を参照して説明した電子ペーパー表示部１０１に相当する。
具体的には、例えば前述した電気泳動式の電子ペーパーを用いた表示部であり、表示内容の変更時には電力を必要とするが、電力供給を停止しても表示データを継続表示することが可能な表示部である。
【００５１】
制御部（ＣＰＵ）１３２は、カメラ装置１００において実行する様々な処理の統括的制御を行う。例えば画像の撮影、音声取得、取得した画像、音声の処理、通信部１３８を介したデータ送受信処理、さらに電子ペーパー表示部１３１に対するデータ表示処理、これら様々な処理の制御を実行する。
これらの処理に必要となるプログラムは、メモリ１３３、あるいは記憶部１３４に格納され、制御部（ＣＰＵ）１３２は、メモリ１３３、あるいは記憶部１３４に格納されたプログラムに従って、様々な処理を実行する。
【００５２】
メモリ（ＲＡＭ，ＲＯＭ等）１３３は、制御部（ＣＰＵ）１３２の実行するプログラムや、制御部（ＣＰＵ）１３２の実行する処理において利用するパラメータ等を記憶し、さらに、制御部（ＣＰＵ）１３２の実行するデータ処理のワークエリアとしても利用される。また、カメラ装置１００の取得した画像、音声の一時的な記憶領域としても利用される。
記憶部（ＨＤ等）１３４は、制御部（ＣＰＵ）１３２の実行するプログラムや、制御部（ＣＰＵ）１３２の実行する処理において利用するパラメータ等を記憶し、さらに、カメラ装置１００の取得した画像、音声の記憶領域としても利用される。
【００５３】
また、メモリ１３３、記憶部１３４には、電子ペーパー表示部１３１に表示するための表示データも格納される。
具体的には、例えば、カメラ識別子（ＩＤ）データ、会社名を示すロゴデータ、カメラの使用者名、カメラの通信処理に利用されるアドレス（ＩＰアドレス等）、アイコン、その他の様々な表示用データである。
【００５４】
入力部１３５は、例えば、撮影開始、停止等の処理情報の入力、電子ペーパー表示部１３１に対する表示情報の書き換え要求等、ユーザによる様々な操作情報を入力する入力部である。
入出力インタフェース１３６は、例えばＵＳＢメモリ、ＳＤメモリ、ＨＤＤ等の外部記憶手段や、その他の外部機器とのデータ入出力処理に利用される。
【００５５】
画像処理部１３７は、撮像部１４１、ＡＤ変換部１４２、ＤＳＰ（Ｄｉｇｉｔａｌ  Ｓｉｇｎａｌ  Ｐｒｏｃｅｓｓｏｒ）１４３を有する。
撮像部１４１は、例えばＣＭＯＳやＣＣＤ等の撮像素子によって構成され、撮影画像に応じた電気信号を出力する。ＡＤ変換部１４２は、撮像部１４１から入力するアナログ信号をデジタル信号に変換してＤＳＰ１４３に出力する。
ＤＳＰ１４３は、画像信号に対するデータ処理、例えばデジタル画像信号に対する符号化処理等を実行する。
ＤＳＰ１４３で処理された画像信号は、通信部１３８を介して、外部機器、例えば、図４〜図６を参照して説明したＣＣＵ１１０やコントローラ１２２に送信される。
【００５６】
なお、ＣＭＯＳセンサーにはセンサーのチップ自体にＡＤコンバータを内蔵したものもある。このようなＡＤコンバータ内蔵ＣＭＯＳセンサーを用いる場合は、撮像部１４１から直接ＤＳＰ１４３に出力してもよい。また、上記説明では画像処理プロセッサとしてはＤＳＰ１４３を用いて説明したが、ＤＳＰ１４３の代わりにＦＰＧＡ（Ｆｉｅｌｄ−Ｐｒｏｇｒａｍｍａｂｌｅ  Ｇａｔｅ  Ａｒｒａｙ）を用いてもよい。
【００５７】
通信部１３８は、図４〜図６を参照して説明したＣＣＵ１１０やコントローラ１２２とのデータ送受信を行う通信部である。
図４〜図６を参照して説明したように、ケーブルを介した有線通信、または無線通信、いずれかの通信処理を行う。
【００５８】
［５．電子ペーパー表示部に対するデータ表示の具体的処理例について］
次に、図８以下を参照して、電子ペーパー表示部１３１に対するデータ表示の具体的処理例について説明する。
以下の２つの具体的処理例について説明する。
（表示処理例１）電子ペーパー表示部にカメラ識別子（ＩＤ）のみを表示する処理例
（表示処理例２）電子ペーパー表示部にカメラ識別子（ＩＤ）に併せて、その他のデータを表示する処理例
【００５９】
［５−１．（表示処理例１）電子ペーパー表示部にカメラ識別子（ＩＤ）のみを表示する処理例］
まず、表示処理例１として、電子ペーパー表示部にカメラ識別子（ＩＤ）のみを表示する処理例について説明する。
【００６０】
図８は、カメラ装置１００の電子ペーパー表示部１３１にカメラ識別子（ＩＤ）であるカメラナンバー＝３を表示した例である。
図８に示すように、電子ペーパー表示部１３１にカメラ識別子（ＩＤ）を表示させるための処理のシーケンスの一例について、図９に示すシーケンス図を参照して説明する。
【００６１】
図９には、左から、
カメラ装置１００、
カメラコントロールユニット（ＣＣＵ）１１０、
コントローラ（リモコン）１２２、
これら３種類の装置を示している。
これら３種類の装置は、相互に有線または無線での通信が可能な構成を持つ。
【００６２】
さらに、図９には、カメラ装置１００の内部構成要素中、以下の各構成要素を示している。
電子ペーパー表示部１３１、
メモリ１３３、
制御部１３２、
通信部１３８、
【００６３】
図９は、カメラ装置１００の電子ペーパー表示部１３１にカメラ識別子（ＩＤ）を表示させるためのシーケンスの一例であり、コントローラ（リモコン）１２２において、表示させるカメラ識別子（ＩＤ）データを送信して、カメラ装置１００の電子ペーパー表示部１３１に表示させる場合の処理シーケンスである。
図９に示すステップＳ１１〜Ｓ１３の順に処理が進行する。以下、各ステップの処理について説明する。
【００６４】
（ステップＳ１１）
まず、ステップＳ１１において、コントローラ（リモコン）１２２側のオペレータが、カメラ装置１００の電子ペーパー表示部１３１に表示させるカメラ識別子（ＩＤ）を決定し、コントローラ（リモコン）１２２が、決定したカメラ識別子（ＩＤ）を表示させるためのデータ（カメラ識別子データ）をカメラ装置１００に送信する。
【００６５】
コントローラ（リモコン）１２２と、カメラ装置１００間にＣＣＵ１１０が存在する場合は、コントローラ（リモコン）１２２の送信データは、ＣＣＵ１１０を介してカメラ装置１００に送信される。
一方、コントローラ（リモコン）１２２と、カメラ装置１００間にＣＣＵ１１０が存在しない場合は、コントローラ（リモコン）１２２の送信データは、ＣＣＵ１１０を介さず、直接、カメラ装置１００に送信される。
【００６６】
なお、コントローラ（リモコン）１２２が送信するカメラ識別子（ＩＤ）を表示させるためのデータ、すなわちカメラ識別子データとは、
決定したカメラ識別子（ＩＤ）の画像データ（フォントデータ）、または、
カメラ識別子（ＩＤ）の指定データ、
これらのデータのいずれかである。
【００６７】
カメラ識別子（ＩＤ）の画像データ（フォントデータ）を出力する場合の処理は、以下の処理となる。
例えば、図８に示すカメラナンバー＝３を表示させる場合、表示対象となる「３」の画像データ（フォントデータ）をコントローラ（リモコン）１２２から出力する。
【００６８】
一方、カメラ識別子（ＩＤ）の指定データを出力する場合は、表示用の画像データ（フォントデータ）を、カメラ装置１００のメモリ１３３に格納している場合である。
この場合は、コントローラ（リモコン）１２２は、表示対象となる「３」の指定データをコントローラ（リモコン）１２２から出力する。
【００６９】
（ステップＳ１２）
コントローラ（リモコン）１２２からの送信データは、カメラ装置１００の通信部１３８を介して、制御部１３２に入力される。
【００７０】
制御部１３２は、コントローラ（リモコン）１２２から受信したデータに従って、電子ペーパー表示部１３１に対するカメラ識別子（ＩＤ）の表示処理を実行する。
コントローラ（リモコン）１２２からの受信データが、カメラ識別子（ＩＤ）の画像データ（フォントデータ）である場合は、この画像データ（フォントデータ）を電子ペーパー表示部１３１に表示する処理を行う。
【００７１】
一方、コントローラ（リモコン）１２２からの受信データが、カメラ識別子（ＩＤ）の指定データである場合は、この指定データに対応するカメラ識別子（ＩＤ）の画像データ（フォントデータ）をメモリ１３３から取得して、取得した画像データ（フォントデータ）を電子ペーパー表示部１３１に表示する処理を行う。
【００７２】
（ステップＳ１３）
ステップＳ１３は、電子ペーパー表示部１３１におけるカメラ識別子（ＩＤ）の表示処理である。
制御部１３２の制御により、電子ペーパー表示部１３１にカメラ識別子（ＩＤ）が表示される。
【００７３】
具体的には、例えば図８に示すカメラ識別子（ＩＤ）＝３の表示がなされる。
なお、図９に示す処理の実行中は、カメラ装置１００の電源をＯＮとして、カメラ装置１００の各構成部に電力供給を行うことが必要であるが、ステップＳ１３の処理が完了した後、すなわち、電子ペーパー表示部１３１にカメラ識別子（ＩＤ）が表示された後は、カメラ装置１００の電源をＯＦＦとしても、その後も電子ペーパー表示部１３１には、カメラ識別子（ＩＤ）＝３の表示が継続して実行される。
【００７４】
図９を参照して説明した処理シーケンスは、カメラ装置１００の電子ペーパー表示部１３１に対するカメラ識別子（ＩＤ）表示処理をコントローラ（リモコン）１２２側から実行する処理の処理シーケンスである。
【００７５】
カメラ装置１００の電子ペーパー表示部１３１に対するカメラ識別子（ＩＤ）の表示処理は、カメラ装置１００が他の機器と通信を行うことなく、カメラ装置１００側単独で行うことも可能である。
図１０以下を参照して、カメラ装置１００側単独で電子ペーパー表示部１３１にカメラ識別子（ＩＤ）を表示する処理例について説明する。
【００７６】
図１０には、先に図７を参照して説明したと同様のカメラ装置１００の構成図を示している。
図１０にはカメラ装置１００の入出力インタフェース１３６にＵＳＢメモリ等の外部メモリ１５０を接続した例を示している。
この外部メモリ１５０内にカメラ装置１００の電子ペーパー表示部１３１に表示するカメラ識別子データが格納されている。
【００７７】
カメラ識別子データとは、
カメラ識別子（ＩＤ）の画像データ（フォントデータ）、または、
カメラ識別子（ＩＤ）の指定データ、
これらのデータのいずれかである。
【００７８】
以下に説明する例は、カメラ識別子データを外部メモリ１５０内に格納し、外部メモリ１５０からカメラ識別子データを読み出して、カメラ装置１００の電子ペーパー表示部１３１に表示する処理例である。
なお、外部メモリ１５０としては、ＵＳＢメモリに限らず、ＳＤメモリ、ＨＤＤ等の様々な種類の記憶手段が利用可能である。
【００７９】
図１１に示すシーケンス図を参照して、外部メモリ１５０に格納されたカメラ識別子データを読み出して、電子ペーパー表示部１３１に表示する処理を行うシーケンスについて説明する。
図１１には、カメラ装置１００の内部構成要素中、以下の各構成要素を示している。
電子ペーパー表示部１３１、
メモリ１３３、
制御部１３２、
入出力Ｉ／Ｏ１３６。
【００８０】
図１１には、さらにカメラ装置１００の入出力Ｉ／Ｏ１３６に接続された外部メモリ１５０を示している。
図１１に示すステップＳ２１〜Ｓ２３の順に処理が進行する。以下、各ステップの処理について説明する。
【００８１】
（ステップＳ２１）
まず、ステップＳ２１において、カメラ装置１００の制御部１３２は、カメラ装置１００の入出力Ｉ／Ｏ１３６に接続された外部メモリ１５０からカメラ識別子データを読み出す。
【００８２】
（ステップＳ２２）
次に、制御部１３２は、ステップＳ２２において、外部メモリ１５０から読み出したデータに従って、電子ペーパー表示部１３１に対するカメラ識別子（ＩＤ）の表示処理を実行する。
外部メモリ１５０から読み出したデータが、カメラ識別子（ＩＤ）の画像データ（フォントデータ）である場合は、この画像データ（フォントデータ）を電子ペーパー表示部１３１に表示する処理を行う。
【００８３】
一方、外部メモリ１５０から読み出したデータが、カメラ識別子（ＩＤ）の指定データである場合は、この指定データに対応するカメラ識別子（ＩＤ）の画像データ（フォントデータ）をメモリ１３３から取得して、取得した画像データ（フォントデータ）を電子ペーパー表示部１３１に表示する処理を行う。
【００８４】
（ステップＳ２３）
ステップＳ２３は、電子ペーパー表示部１３１におけるカメラ識別子（ＩＤ）の表示処理である。
制御部１３２の制御により、電子ペーパー表示部１３１にカメラ識別子（ＩＤ）が表示される。
【００８５】
具体的には、例えば図８に示すカメラ識別子（ＩＤ）＝３の表示がなされる。
なお、図１１に示す処理の実行中は、カメラ装置１００の電源をＯＮとして、カメラ装置１００の各構成部に電力供給を行うことが必要であるが、ステップＳ２３の処理が完了した後、すなわち、電子ペーパー表示部１３１にカメラ識別子（ＩＤ）が表示された後は、カメラ装置１００の電源をＯＦＦとしても、その後も電子ペーパー表示部１３１には、カメラ識別子（ＩＤ）＝３の表示が継続して実行される。
【００８６】
さらに、外部メモリ１５０等を利用することなく、識別データをカメラ装置１００の内部のメモリ、例えば図７に示すカメラ装置１００の構成要素であるメモリ１３３、あるいは記憶部１３４に格納しておき、これを読み出して電子ペーパー表示部１３１に表示する構成も可能である。
【００８７】
この処理を実行する場合の処理シーケンスについて、図１２を参照して説明する。
図１２には、カメラ装置１００の内部構成要素中、以下の各構成要素を示している。
電子ペーパー表示部１３１、
メモリ１３３、
制御部１３２、
入力部１３５、
なお、図１２に示すシーケンス図中のメモリ１３３は、記憶部１３４に置き換えることも可能である。
【００８８】
図１２には、さらにカメラ装置１００の入力部１３５に対する入力処理を実行するユーザを示している。
ユーザは例えばカメラ装置１００を利用するカメラマン等のユーザである。
図１２に示すステップＳ２５〜Ｓ２８の順に処理が進行する。以下、各ステップの処理について説明する。
【００８９】
（ステップＳ２５）
まず、ステップＳ２５において、ユーザがカメラ装置１００の入力部１３５に対して、電子ペーパー表示部１３１に識別子（ＩＤ）の表示を要求するコマンド（識別子データ表示コマンド）を入力する。
【００９０】
（ステップＳ２６）
次に、制御部１３２は、ステップＳ２６において、入力部１３５から入力したコマンドに従って、電子ペーパー表示部１３１に対するカメラ識別子（ＩＤ）の画像データ（フォントデータ）をメモリ１３３から取得する処理を行う。
【００９１】
メモリ１３３には、予めカメラ識別子（ＩＤ）の画像データ（フォントデータ）が格納されている。
制御部１３２は、このカメラ識別子（ＩＤ）の画像データ（フォントデータ）をメモリ１３３から取得する。
【００９２】
（ステップＳ２７）
次に、制御部１３２は、メモリ１３３から取得したカメラ識別子（ＩＤ）の画像データ（フォントデータ）を電子ペーパー表示部１３１に表示する処理を行う。
【００９３】
（ステップＳ２８）
ステップＳ２８は、電子ペーパー表示部１３１におけるカメラ識別子（ＩＤ）の表示処理である。
制御部１３２の制御により、電子ペーパー表示部１３１にカメラ識別子（ＩＤ）が表示される。
【００９４】
具体的には、例えば図８に示すようにカメラ識別子（ＩＤ）＝３の表示がなされる。
なお図１２に示す処理の実行中は、カメラ装置１００の電源をＯＮとして、カメラ装置１００の各構成部に電力供給を行うことが必要であるが、ステップＳ２８の処理が完了した後、すなわち、電子ペーパー表示部１３１にカメラ識別子（ＩＤ）が表示された後は、カメラ装置１００の電源をＯＦＦとしても、その後も電子ペーパー表示部１３１には、カメラ識別子（ＩＤ）＝３の表示が継続して実行される。
【００９５】
［５−２．（表示処理例２）電子ペーパー表示部にカメラ識別子（ＩＤ）に併せて、その他のデータを表示する処理例］
次に、表示処理例２として、電子ペーパー表示部にカメラ識別子（ＩＤ）に併せて、その他のデータを表示する処理例について説明する。
【００９６】
図１３は、カメラ装置１００の電子ペーパー表示部１３１にカメラ識別子（ＩＤ）であるカメラナンバー＝３と、カメラ装置１００を利用する会社名、例えば放送局を示すロゴマーク＝ＸＹＺを表示した例である。
このように、電子ペーパー表示部１３１にはカメラ識別子（ＩＤ）のみならず、様々なデータを表示することが可能である。
【００９７】
図１３に示すように、電子ペーパー表示部１３１にカメラ識別子（ＩＤ）とその他の付加データを併せて表示させるための処理シーケンスの一例について、図１４に示すシーケンス図を参照して説明する。
【００９８】
図１４には、左から、
カメラ装置１００、
カメラコントロールユニット（ＣＣＵ）１１０、
コントローラ（リモコン）１２２、
これら３種類の装置を示している。
これら３種類の装置は、相互に有線または無線での通信が可能な構成を持つ。
【００９９】
さらに、図１４には、カメラ装置１００の内部構成要素中、以下の各構成要素を示している。
電子ペーパー表示部１３１、
メモリ１３３、
制御部１３２、
通信部１３８、
【０１００】
図１４に示すシーケンス図は、カメラ装置１００の電子ペーパー表示部１３１にカメラ識別子（ＩＤ）に併せて、放送局名を示す放送局ロゴマーク等の付加データを併せて表示させるためのシーケンスの一例である。
この処理シーケンスにおいて、カメラ装置１００の制御部１３２は、以下の２つのデータの合成処理を行って電子ペーパー表示部１３１に表示する処理を実行する。
（データ１）コントローラ（リモコン）１２２から送信されるカメラ識別子（ＩＤ）データ、
（データ２）メモリ１３３内に格納済みの付加データ（放送局ロゴマーク等）
【０１０１】
図１４に示すステップＳ３１〜Ｓ３５の順に処理が進行する。以下、各ステップの処理について説明する。
【０１０２】
（ステップＳ３１）
まず、ステップＳ３１において、コントローラ（リモコン）１２２側のオペレータが、カメラ装置１００の電子ペーパー表示部１３１に表示させるカメラ識別子（ＩＤ）を決定し、コントローラ（リモコン）１２２が、決定したカメラ識別子（ＩＤ）を表示させるためのデータ（カメラ識別子データ）をカメラ装置１００に送信する。
【０１０３】
コントローラ（リモコン）１２２と、カメラ装置１００間にＣＣＵ１１０が存在する場合は、コントローラ（リモコン）１２２の送信データは、ＣＣＵ１１０を介してカメラ装置１００に送信される。
一方、コントローラ（リモコン）１２２と、カメラ装置１００間にＣＣＵ１１０が存在しない場合は、コントローラ（リモコン）１２２の送信データは、ＣＣＵ１１０を介さず、直接、カメラ装置１００に送信される。
【０１０４】
なお、コントローラ（リモコン）１２２が送信するカメラ識別子（ＩＤ）を表示させるためのデータ、すなわちカメラ識別子データとは、前述した例と同様、
決定したカメラ識別子（ＩＤ）の画像データ（フォントデータ）、または、
カメラ識別子（ＩＤ）の指定データ、
これらのデータのいずれかである。
コントローラ（リモコン）１２２からの送信データは、カメラ装置１００の通信部１３８を介して、制御部１３２に入力される。
【０１０５】
（ステップＳ３２）
次に、制御部１３２は、ステップＳ３２において、メモリ１３３から、付加データを取得する。
すなわち、カメラ識別子（ＩＤ）に併せて表示する放送局ロゴマーク等の付加データをメモリ１３３から取得する。
【０１０６】
なお、付加データは、メモリ１３３に限らず、記憶部１３４、あるいは外部メモリ１５０から取得する設定としてもよい。
【０１０７】
（ステップＳ３３）
次に、制御部１３２は、ステップＳ３３において、以下の２つのデータの合成処理を実行する。
（データ１）コントローラ（リモコン）１２２から受信したカメラ識別子（ＩＤ）データ、
（データ２）メモリ１３３から取得した付加データ（放送局ロゴマーク等）
【０１０８】
制御部１３２は、これらの２つのデータの合成処理を実行して、電子ペーパー表示部１３１に表示するデータを生成する。
【０１０９】
なお、コントローラ（リモコン）１２２からの受信データが、カメラ識別子（ＩＤ）の画像データ（フォントデータ）である場合は、この画像データ（フォントデータ）と、メモリ１３３から取得した放送局ロゴマーク等の付加データ（画像データ）との合成処理を行う。
【０１１０】
一方、コントローラ（リモコン）１２２からの受信データが、カメラ識別子（ＩＤ）の指定データである場合は、この指定データに対応するカメラ識別子（ＩＤ）の画像データ（フォントデータ）をメモリ１３３から取得して、取得した画像データ（フォントデータ）と、メモリ１３３から取得した放送局ロゴマーク等の付加データ（画像データ）との合成処理を行う。
【０１１１】
合成処理によって生成するデータは、例えば図１３に示すデータであり、カメラ識別子（ＩＤ）と、放送局名を示す放送局ロゴマーク等の付加データを併せたデータである。
【０１１２】
（ステップＳ３４）
次に、制御部１３２は、ステップＳ３４において、ステップＳ３３の合成処理によって生成した合成データを、電子ペーパー表示部１３１に出力し、表示処理を実行する。
【０１１３】
（ステップＳ３５）
ステップＳ３５は、電子ペーパー表示部１３１における合成データの表示処理である。
制御部１３２の制御により、カメラ識別子（ＩＤ）と、放送局名を示す放送局ロゴマーク等の付加データから構成される合成データが、電子ペーパー表示部１３１に表示される。
【０１１４】
例えば図１３に示す合成データの表示がなされる。
なお、図１３は、カメラ装置１００の電子ペーパー表示部１３１に、
（ａ）識別情報：カメラ識別子（ＩＤ）であるカメラナンバー＝３と、
（ｂ）付加情報：カメラ装置１００を利用する会社名、例えば放送局を示すロゴマーク＝ＸＹＺ、
これらの２つの異なる情報を縦に並べた合成データを表示した例であるが、電子ペーパー表示部１３１にはカメラ識別子（ＩＤ）のみならず、様々なデータを表示することが可能である。
【０１１５】
また、付加情報、識別情報の合成処理時に、各情報を表示部内のどこに表示するかは特に限定されない。図１３に示す例は、識別情報を表示部内の下側に、付加情報を表示部内の上側に表示した例であるが、これに限らず、上側、下側の表示情報を逆としてもよく、また識別情報を表示部内の左側、付加情報を表示部内の右側に表示してもよい。
【０１１６】
また、合成データは、制御部１３２において生成されるが、合成データを構成する付加情報や識別情報のフォントサイズは任意サイズに制御可能である。例えば表示部の表示領域に応じて自動調整することも可能である。
例えば、識別情報と、付加情報とが同じフォントサイズとなるように合成処理をしても良いし、また識別情報は大きく、付加情報は小さくなるように制御しても良い。またこの逆であっても良い。また、合成後の各情報が表示部内に収まるように、合成処理時に制御部が自動でフォントサイズを変更しても良い。更に、ユーザの指示に応じて合成処理時の各情報のフォントサイズを変更することも可能である。
【０１１７】
なお、図１４に示す処理の実行中は、カメラ装置１００の電源をＯＮとして、カメラ装置１００の各構成部に電力供給を行うことが必要であるが、ステップＳ３５の処理が完了した後、すなわち、電子ペーパー表示部１３１にカメラ識別子（ＩＤ）と、放送局名を示す放送局ロゴマーク等の付加データから構成される合成データが表示された後は、カメラ装置１００の電源をＯＦＦとしても、その後も電子ペーパー表示部１３１には、合成データの表示が継続して実行される。
【０１１８】
［６．電子ペーパー表示部に対するデータ表示構成例について］
図１３、図１４を参照して、カメラ識別子（ＩＤ）と、放送局名を示す放送局ロゴマーク等の付加データからなる合成データの例と、表示シーケンスについて説明したが、電子ペーパー表示部１３１には、上述した例の他にも様々なデータを表示することが可能である。
【０１１９】
図１５を参照して、電子ペーパー表示部１３１に表示するデータ例について説明する。
図１５には、電子ペーパー表示部１３１に対する表示データ例として、カメラ識別子（ＩＤ）に併せて表示する４種類の付加データの例を示している。
【０１２０】
（１）表示例１は、図１３を参照して説明したと同様の表示データの例であり、カメラ識別子（ＩＤ）１５１と、放送局名を示す放送局ロゴマーク等の会社名１５２を併せて表示した例である。
カメラ装置１００は、高価であり、会社間でのレンタルや、へ放送局間でのレンタルなどが行われる場合も多い。このような場合、レンタル元の会社名を表示する設定や、現在の利用会社名を表示する設定などが考えられるが、これらの会社名をカメラ内のメモリ、あるいは外部メモリから読み出して表示することで、容易に書き換えが可能となる。
【０１２１】
（２）表示例２は、カメラ識別子（ＩＤ）１５１と、カメラの利用者、例えばカメラマンの名前を示す利用者名１５３を併せて表示した例である。
放送番組等のコンテンツ制作には同一タイプのカメラが多数、利用される。
このような場合、各カメラに利用者であるカメラマンの名前を表示することで、各ユーザ対応のカメラを間違いなく選択して利用することが可能となる。
なお、カメラ装置１００の利用者は、次々、変更される場合がある。予めユーザ名をカメラ内のメモリ、あるいは外部メモリに登録し、利用時に読み出して選択して表示する構成とすることで、特定ユーザの名前を表示することが可能である。
なお、カメラマンの名前の代わり、あるいはカメラマンの名前に併せてカメラの設置場所などを表示する構成としてもよい。
【０１２２】
（３）表示例３は、カメラ識別子（ＩＤ）１５１と、カメラのＩＰアドレス１５４を併せて表示した例である。放送番組等のコンテンツ制作に利用される多数のカメラは、例えばＩＰネットワークを介して、コントローラ（リモコン）１２２等の外部機器と接続される。
【０１２３】
ネットワーク構築処理に際して、各カメラ装置の通信ケーブルを、中継機の所定の接続端子に接続することが必要となる。例えば、中継器の各端子の各々が固定ＩＰアドレス対応の端子として設定されている場合、各カメラの通信ケーブルは、中継器の対応する１つのＩＰアドレス用の接続端子に接続することが必要となる。
カメラ装置にＩＰアドレスが表示されていれば、この接続処理を間違いなく行うことが可能となる。
【０１２４】
カメラの接続処理等は、カメラの電源を切った状態で行われることも多いが、電子ペーパー表示部１３１は、電源を切った状態でも、表示データが継続して表示されるため、ＩＰアドレスを確認しながらの接続作業を行うことが可能となる。
【０１２５】
（４）表示例４は、カメラ識別子（ＩＤ）１５１と、カメラ装置１００にインストールされているソフトウェア情報（ソフトウェアオプション）１５５を併せて表示した例である。
カメラ装置１００には、様々なソフトウェアがインストールされる。
具体的には、例えば、ハイビジョン映像の撮影、画像処理を可能とするソフトウェアとして２Ｋ画像対応の処理を実行するソフトウェアや４Ｋ画像、あるいは８Ｋ画像の処理を実行するソフトウェア等がある。
その他、カメラ装置と接続する機器、例えばＣＣＵについて、特定の最新機能を持つＣＣＵとの通信を可能とするソフトウェア等もある。
【０１２６】
このように、カメラ装置１００には、様々なソフトウェアがインストールされ、インストールされているソフトウェアによって実行できる処理が異なる。
カメラマンは、利用するカメラ装置の機能を事前に把握することが必要であるが、このソフトウェア情報については、これまでは、例えばカメラに添付された説明書等を見るか、あるいは実際にカメラのソフトウェアを起動して確認するといった処理が行われていた。
【０１２７】
電子ペーパー表示部１３１に、インストール・ソフトウェア情報（ソフトウェアオプション）を表示することで、カメラマンは、カメラ装置１００の実行可能な処理を即座にその把握できる。
【０１２８】
なお、図１５には、電子ペーパー表示部１３１に対する合成データの表示例として、カメラ識別子（ＩＤ）と４種類の付加データからなる４種類の合成データの例（１）〜（４）を示しているが、これらの（１）〜（４）の合成データは、ユーザが任意タイミングで切り替え可能であり、また所定条件の下で自動的に切り替える設定としてもよい。
【０１２９】
表示データの自動切り替えの例としては、特にこれに限定はされないが、カメラ電源のＯＮ／ＯＦＦのタイミングがあげられる。電源ＯＦＦ時に電子ペーパー部にはライセンス情報を含む合成データ（図１５（４））を表示させ、電源ＯＮ時にはロゴ情報を含む合成データ（図１５（１））を表示させることが可能である。
このような設定とすることで、電源を投入せずに図１５（４）のソフトウェア情報（ソフトウェアオプション）１５５が確認でき、ユーザはカメラがどの機能が利用できるか事前に確認できる。
また、電源をＯＮして使用している場合には、放送局名を示す放送局ロゴマーク等の会社名１５２を表示することで、どの局で使用されているかの情報を即座に確認できるというメリットがある。
【０１３０】
［７．電子ペーパー表示部とデータ処理部を備えた電子ペーパーモジュールの構成例について］
次に、電子ペーパー表示部とデータ処理部を備えた電子ペーパーモジュールの構成例について説明する。
【０１３１】
図１６は、電子ペーパーモジュール２１０の構成例と利用例を説明する図である。
電子ペーパーモジュール２１０は、カメラ装置２００に対して着脱可能なモジュールである。
電子ペーパーモジュール２１０は、電子ペーパー表示部２１１と、接続端子２１５を有する。
【０１３２】
電子ペーパーモジュール２１０を、カメラ装置２００の電子ペーパーモジュール装着スロット２０１に装着すると、カメラ装置２００と電気的接続がなされ、カメラ装置２００からの電力供給、およびカメラ装置２００とのデータ通信が可能となる。
【０１３３】
図１７を参照して電子ペーパーモジュール２１０の内部構成例について説明する。図１７に示すように、電子ペーパーモジュールベース２１０ａに、以下の４つの構成要素を下層から上層に積層した構成を有する。
電子ペーパーモジュールケース２１０ｂ、
電子ペーパーモジュール回路２１０ｃ、
電子ペーパー２１０ｄ、
電子ペパーモジュールサブカバー２１０ｄ、
【０１３４】
電子ペーパーモジュール２１０は、上記４つの構成要素の積層構成を、電子ペーパーモジュールベース２１０ａ内に格納し、さらに、電子ペーパーモジュールベース２１０ａの最上部に電子ペーパーモジュールメインカバー２１０ｆを取り付けた構成を有する。
識別情報等の表示は、電子ペーパー２１０ｄに対して実行される。
電子ペーパーモジュール回路２１０ｃは、電子ペーパー２１０ｄに表示するデータの表示制御を行う制御部や、メモリ等が構成された回路基板である。
【０１３５】
電子ペーパーモジュール２１０を装着したカメラ装置２００の構成例について、図１８を参照して説明する。
【０１３６】
図１８に示すカメラ装置２００は、先に図７を参照して説明したカメラ装置１００の構成中の電子ペーパー表示部１３１を、電子ペーパーモジュール２１０に置き換えた構成に相当する。
【０１３７】
カメラ装置２００は、図１８に示すように、電子ペーパーモジュール２１０、制御部（ＣＰＵ）１３２、メモリ（ＲＡＭ，ＲＯＭ等）１３３、記憶部（ＨＤ等）１３４、入力部１３５、入出力インタフェース１３６、画像処理部１３７、通信部１３８を有する。
画像処理部１３７は、撮像部１４１、ＡＤ変換部１４２、ＤＳＰ（Ｄｉｇｉｔａｌ  Ｓｉｇｎａｌ  Ｐｒｏｃｅｓｓｏｒ）１４３を有する。
【０１３８】
なお、図１８に示すカメラ装置２００の構成例は、カメラ装置２００の主要部の構成のみを示している。カメラ装置２００内には、図１８に示す構成の他、例えば音声処理部や、撮影画像を確認するためのモニタや、電力供給のためのバッテリ、電源スイッチ等、様々な構成要素を有する。
図１８に示すカメラ装置２００において、電子ペーパーモジュール２１０以外の構成は、先に図７を参照して説明した構成と同様であり、説明を省略する。
【０１３９】
電子ペーパーモジュール２１０は、電子ペーパー表示部（ＥＰＤ）２１１、モジュール制御部（ＣＰＵ）２１２、メモリ２１３、セキュアメモリ２１４を有する。
【０１４０】
電子ペーパー表示部２１１は、先に説明した図７に示すカメラ装置１００の電子ペーパー表示部１３１と同様の構成である。
具体的には、例えば電気泳動式の電子ペーパーを用いた表示部であり、表示内容の変更時には電力を必要とするが、電力供給を停止しても表示データを継続表示することが可能な表示部である。
【０１４１】
モジュール制御部（ＣＰＵ）２１２は、電子ペーパーモジュール２１０において実行する様々な処理の統括的制御を行う。例えば電子ペーパー表示部２１１に対するデータ表示処理、カメラ装置２００とのデータ通信処理、セキュアメモリ２１４に対するデータ記録、セキュアメモリ２１４からのデータ読み出し処理等、これら様々な処理の制御を実行する。
これらの処理に必要となるプログラムは、メモリ２１３に格納され、制御部（ＣＰＵ）２１２は、メモリ２１３に格納されたプログラムに従って、様々な処理を実行する。
【０１４２】
メモリ２１３は、モジュール制御部（ＣＰＵ）２１２の実行するプログラム、モジュール制御部（ＣＰＵ）２１２の実行する処理において利用するパラメータ等を記憶し、さらに、モジュール制御部（ＣＰＵ）２１２の実行するデータ処理のワークエリアとしても利用される。また、電子ペーパー表示部１３１に表示するための表示データの格納エリアとしても利用される。
【０１４３】
セキュアメモリ２１４は、アクセス制限の設定されたメモリであり、秘匿性のあるセキュアデータが格納される。
例えば、カメラ装置２００において特定の処理を実行可能に設定するために必要となるキーデータであるオプションキー等が格納される。
【０１４４】
オプションキーには様々な種類がある。例えば、以下のようなオプションキーがある。
（ａ）カメラ装置２００において４Ｋ画像を撮影して画像処理を行い、４Ｋフォーマット画像の出力処理を実行可能とするためのキーデータ、
（ｂ）カメラ装置２００においてスローモーション画像再生用のハイフレームレート画像を撮影して画像処理を行い、ハイフレームレート画像の出力処理を実行可能とするためのキーデータ、
【０１４５】
オプションキーには、上記以外にも様々な種類があり、カメラ装置２００は、電子ペーパーモジュール２１０のセキュアメモリ２１４からオプションキーを読み出して、読み出したオプションキーを利用した所定の処理を行うことで、カメラ装置２００のメモリ１３３や記憶部１３４に格納された特定のソフトウェア（プログラム）を起動することが可能となる。
【０１４６】
例えば、カメラ装置２００において、４Ｋ画像の撮影、画像処理を行うためには、カメラ装置２００のメモリ１３３や記憶部１３４に格納された４Ｋ画像対応の処理を行うソフトウェア（プログラム）を読み出して起動して実行することが必要となる。
例えば、４Ｋ画像対応のオプションキーは、このソフトウェア（プログラム）の読み出しや起動処理、あるいは実行処理を許可するために必要となるパスワード的な役割を有する。または暗号化プログラムの復号キーとして設定される場合もある。
【０１４７】
カメラ装置２００が、電子ペーパーモジュール２１０のセキュアメモリ２１４からオプションキーを読み出すことに成功した場合は、カメラ装置２００において４Ｋ画像の撮影、データ処理、出力処理が可能となるが、オプションキー読み出しに失敗した場合は、カメラ装置２００において４Ｋ画像の撮影、データ処理、出力処理の少なくともいずれかを行うことができなくなる。
このようにオプションキーは、カメラ装置２００において、特定の処理プログラムを適用した特定の処理を実行するとめに必要となるデータである。
【０１４８】
具体的なオプションキーの種類や、オプションキーを利用した処理の詳細については、後段で説明する。
【０１４９】
なお、セキュアメモリ２１４は、アクセス制限の設定されたメモリであり、外部装置からのデータ書き込みやデータ読み取りは自由に行うことができない。外部装置からのアクセス（データ書き込みや読み取り）を行う場合、電子ペーパーモジュール２１０と外部装置間で所定の認証処理を実行し、外部装置が信頼できる正当な装置であることの確認が必要となる。この認証処理は、モジュール制御部（ＣＰＵ）２１２によって実行される。
【０１５０】
なお、外部装置には、コントローラ１２２、ＣＣＵ１１０のみならず、外部メモリ１５０、さらに、電子ペーパーモジュール２１０を装着したカメラ装置２００も含まれる。
これらの外部装置が、電子ペーパーモジュール２１０内のセキュアメモリ２１４にアクセスする場合、所定の認証処理を行い、認証処理が成立することが必要となる。
【０１５１】
電子ペーパーモジュール２１０内の電子ペーパー表示部２１１は、先に図７〜図１５を参照して説明したカメラ装置１００に一体化された電子ペーパー表示部１３１と同様、カメラ識別子（ＩＤ）や、その他の付加データの表示処理を行うことができる。
【０１５２】
図１９に示すシーケンス図を参照して、電子ペーパーモジュール２１０内の電子ペーパー表示部２１１に対するデータ表示シーケンスの一例について説明する。
【０１５３】
図１９に示すシーケンス図は、先に図１３、図１４を参照して説明した「表示処理例２」、すなわち電子ペーパー表示部にカメラ識別子（ＩＤ）と、例えば放送局を示すロゴマーク＝ＸＹＺ等の付加データとの合成データを表示する処理を行う場合のシーケンスである。
【０１５４】
図１９には、左から、
カメラ装置２００、
カメラコントロールユニット（ＣＣＵ）１１０、
コントローラ（リモコン）１２２、
これら３種類の装置を示している。
これら３種類の装置は、相互に有線または無線での通信が可能な構成を持つ。
【０１５５】
さらに、図１９には、カメラ装置２００の内部構成要素中、以下の各構成要素を示している。
電子ペーパーモジュール２１０、
メモリ１３３、
制御部１３２、
通信部１３８、
【０１５６】
さらに、電子ペーパーモジュール２１０内部の構成要素として、
電子ペーパー表示部２１１、
セキュアメモリ２１４、
モジュール制御部２１１、
これらの構成要素を示している。
【０１５７】
図１９に示すシーケンス図は、カメラ装置２００に装着した電子ペーパーモジュール２１１内部の電子ペーパー表示部２１１にカメラ識別子（ＩＤ）に併せて、放送局名を示す放送局ロゴマーク等の付加データを併せて表示させるためのシーケンスの一例である。
この処理シーケンスにおいて、カメラ装置２００の制御部１３２は、以下の２つのデータの合成処理を行って電子ペーパーモジュール２１１内部の電子ペーパー表示部２１１に表示する処理を実行する。
（データ１）コントローラ（リモコン）１２２から送信されるカメラ識別子（ＩＤ）データ、
（データ２）メモリ１３３内に格納済みの付加データ（放送局ロゴマーク等）
【０１５８】
図１９に示すステップＳ５１〜Ｓ５５の順に処理が進行する。以下、各ステップの処理について説明する。
【０１５９】
（ステップＳ５１）
まず、ステップＳ５１において、コントローラ（リモコン）１２２側のオペレータが、カメラ装置２００に装着した電子ペーパーモジュール２１１内部の電子ペーパー表示部２１１に表示させるカメラ識別子（ＩＤ）を決定し、コントローラ（リモコン）１２２が、決定したカメラ識別子（ＩＤ）を表示させるためのデータ（カメラ識別子データ）をカメラ装置２００に送信する。
【０１６０】
コントローラ（リモコン）１２２と、カメラ装置２００間にＣＣＵ１１０が存在する場合は、コントローラ（リモコン）１２２の送信データは、ＣＣＵ１１０を介してカメラ装置２００に送信される。
一方、コントローラ（リモコン）１２２と、カメラ装置２００間にＣＣＵ１１０が存在しない場合は、コントローラ（リモコン）１２２の送信データは、ＣＣＵ１１０を介さず、直接、カメラ装置２００に送信される。
【０１６１】
なお、コントローラ（リモコン）１２２が送信するカメラ識別子（ＩＤ）を表示させるためのデータ、すなわちカメラ識別子データとは、前述した例と同様、
決定したカメラ識別子（ＩＤ）の画像データ（フォントデータ）、または、
カメラ識別子（ＩＤ）の指定データ、
これらのデータのいずれかである。
コントローラ（リモコン）１２２からの送信データは、カメラ装置２００の通信部１３８を介して、制御部１３２に入力される。
【０１６２】
（ステップＳ５２）
次に、制御部１３２は、ステップＳ５２において、メモリ１３３から、付加データを取得する。
すなわち、カメラ識別子（ＩＤ）に併せて表示する放送局ロゴマーク等の付加データをメモリ１３３から取得する。
【０１６３】
なお、付加データは、メモリ１３３に限らず、記憶部１３４、あるいは外部メモリ１５０から取得する設定としてもよい。
【０１６４】
（ステップＳ５３）
次に、制御部１３２は、ステップＳ５３において、以下の２つのデータの合成処理を実行する。
（データ１）コントローラ（リモコン）１２２から受信したカメラ識別子（ＩＤ）データ、
（データ２）メモリ１３３から取得した付加データ（放送局ロゴマーク等）
【０１６５】
制御部１３２は、これらの２つのデータの合成処理を実行して、カメラ装置２００に装着した電子ペーパーモジュール２１１内部の電子ペーパー表示部２１１に表示するデータを生成する。
【０１６６】
なお、コントローラ（リモコン）１２２からの受信データが、カメラ識別子（ＩＤ）の画像データ（フォントデータ）である場合は、この画像データ（フォントデータ）と、メモリ１３３から取得した放送局ロゴマーク等の付加データ（画像データ）との合成処理を行う。
【０１６７】
一方、コントローラ（リモコン）１２２からの受信データが、カメラ識別子（ＩＤ）の指定データである場合は、この指定データに対応するカメラ識別子（ＩＤ）の画像データ（フォントデータ）をメモリ１３３から取得して、取得した画像データ（フォントデータ）と、メモリ１３３から取得した放送局ロゴマーク等の付加データ（画像データ）との合成処理を行う。
【０１６８】
合成処理によって生成するデータは、例えば図１３に示すデータであり、カメラ識別子（ＩＤ）と、放送局名を示す放送局ロゴマーク等の付加データを併せたデータである。
【０１６９】
（ステップＳ５４）
次に、制御部１３２は、ステップＳ５４において、ステップＳ５３の合成処理によって生成した合成データを、カメラ装置２００に装着した電子ペーパーモジュール２１１内部の電子ペーパー表示部２１１に出力し、表示処理を実行する。
【０１７０】
（ステップＳ５５）
ステップＳ５５は、カメラ装置２００に装着した電子ペーパーモジュール２１１内部の電子ペーパー表示部２１１における合成データの表示処理である。
制御部１３２の制御により、カメラ識別子（ＩＤ）と、放送局名を示す放送局ロゴマーク等の付加データから構成される合成データが、電子ペーパー表示部１３１に表示される。
【０１７１】
例えば図１３に示すと同様の合成データの表示がなされる。
なお、図１９に示す処理の実行中は、カメラ装置２００の電源をＯＮとして、カメラ装置２００、およびカメラ装置２００に装着した電子ペーパーモジュール２１１の各構成部に電力供給を行うことが必要であるが、ステップＳ５５の処理が完了した後、すなわち、カメラ装置２００に装着した電子ペーパーモジュール２１１内部の電子ペーパー表示部２１１にカメラ識別子（ＩＤ）と、放送局名を示す放送局ロゴマーク等の付加データから構成される合成データが表示された後は、カメラ装置２００の電源をＯＦＦとしても、その後も電子ペーパー表示部２１１には、合成データの表示が継続して実行される。
【０１７２】
次に、電子ペーパーモジュール２１０のセキュアメモリ２１４に対する格納データであるオプションキーの具体例と、オプションキーを利用した具体的な処理について説明する。
【０１７３】
先に説明したように、セキュアメモリ２１４は、アクセス制限の設定されたメモリであり、秘匿性の求められるセキュアデータが格納されるメモリであり、オプションキーが格納される。
オプションキーは、カメラ装置２００において特定の処理を実行可能に設定するために必要となるキーデータである。
【０１７４】
オプションキーには様々な種類がある。
オプションキーの具体例について、図２０を参照して説明する。
図２０には、以下の３種類のオプションキーの例を示している。
（１）カメラ出力許可フォーマット設定用キー
（２）カメラ接続許可構成設定用キー
（３）カメラ実行許可機能設定用キー
【０１７５】
（１）カメラ出力許可フォーマット設定用キーとは、電子ペーパーモジュール２１０のセキュアメモリ２１４に格納されたオプションキーの読出しに成功したカメラに対して、特定のフォーマットデータの出力を許可する設定としたオプションキーである。
【０１７６】
例えば、以下のように、各オプションキーに対応する出力許可フォーマットが規定される。
オプションキー１０１：出力許可フォーマット＝ハイフレームレート画像
オプションキー１０２：出力許可フォーマット＝ＨＤＲ（Ｈｉｇｈ  Ｄｙｎａｍｉｃ  Ｒａｎｇｅ）画像
オプションキー１０３：出力許可フォーマット＝ＰｓＦ（Ｐｒｏｇｒｅｓｓｉｖｅ  Ｓｅｇｍｅｎｔｅｄ  Ｆｒａｍｅ）画像
オプションキー１０４：出力許可フォーマット＝４Ｋ画像
オプションキー１０５：出力許可フォーマット＝８Ｋ画像
【０１７７】
例えば、電子ペーパーモジュール２１０のセキュアメモリ２１４に格納されたオプションキー１０１の読出しに成功したカメラは、ハイフレームレート画像のカメラからの出力が許可される。
オプションキー１０１の読出しに失敗したカメラは、ハイフレームレート画像のカメラからの出力が許可されず、ハイフレームレート画像出力不可の設定となる。
【０１７８】
また、オプションキー１０５の読出しに成功したカメラは、８Ｋ画像のカメラからの出力が許可される。
オプションキー１０５の読出しに失敗したカメラは、８Ｋ画像のカメラからの出力が許可されず、８Ｋ画像出力不可の設定となる。
【０１７９】
（２）カメラ接続許可構成設定用キーとは、電子ペーパーモジュール２１０のセキュアメモリ２１４に格納されたオプションキーの読出しに成功したカメラに対して、外部機器、またはカメラ内部の特定モジュールとの接続や、データ通信を許可する設定としたオプションキーである。
【０１８０】
例えば、以下のように、各オプションキーに対応する接続許可構成が規定される。
オプションキー２０１：接続許可構成＝次世代ＣＣＵ／リモコンとの接続
オプションキー２０２：接続許可構成＝撮像センサーが異なるブロックの交換
オプションキー２０３：接続許可構成＝Ｔ−ＣＡＭ（Ｔｅｒｎａｒｙ  Ｃｏｎｔｅｎｔ  Ａｄｄｒｅｓａｂｌｅ  Ｍｅｍｏｒｙ）撮像センサー部の延長ブロック）との接続
オプションキー２０４：接続許可構成＝Ｔｒｉａｘ伝送ブロックへの交換
オプションキー２０５：接続許可構成＝ワイヤレス伝送ブロックへの交換
オプションキー２０６：接続許可構成＝フィルタディスクユニット（Ｆｉｌｔｅｒ  Ｄｉｓｃ  Ｕｎｉｔ）の交換
【０１８１】
例えば、電子ペーパーモジュール２１０のセキュアメモリ２１４に格納されたオプションキー２０１の読出しに成功したカメラは、次世代ＣＣＵ／リモコンとの接続、通信が許可される。
オプションキー２０１の読出しに失敗したカメラは、次世代ＣＣＵ／リモコンとの接続、通信が許可されない設定となる。
【０１８２】
（３）カメラ実行許可機能設定用キーとは、電子ペーパーモジュール２１０のセキュアメモリ２１４に格納されたオプションキーの読出しに成功したカメラに対して、特定の機能の実行を許可する設定としたオプションキーである。
【０１８３】
例えば、以下のように、各オプションキーに対応する実行許可機能が規定される。
オプションキー３０１：実行許可機能＝特定長以上のＣＡＭ／ＣＣＵ間データ伝送機能
オプションキー３０２：実行許可機能＝マルチカメラシステム機能
オプションキー３０３：実行許可機能＝収差補正機能（ＡＬＡＣ）
オプションキー３０４：実行許可機能＝データ記録機能
【０１８４】
例えば、電子ペーパーモジュール２１０のセキュアメモリ２１４に格納されたオプションキー３０１の読出しに成功したカメラは、特定長以上のカメラとＣＣＵ間のデータ伝送機能を実行することができる。
オプションキー３０１の読出しに失敗したカメラは、特定長以上のカメラとＣＣＵ間のデータ伝送機能を実行することができない設定となる。
【０１８５】
このように、オプションキーは、その読出しに成功したカメラに対して、実行可能な処理を設定する役割を有する。
図２０に示すように、オプションキーは、許可する処理に応じて設定される。
電子ペーパーモジュール２１０のセキュアメモリ２１４に対するオプションキーの記録処理（書き込み）は、外部機器によって実行することができる。
ただし、不正な書き込みが行われないよう、所定のシーケンスに従って実行される。
【０１８６】
図２１に示すシーケンス図を参照して、電子ペーパーモジュール２１０のセキュアメモリ２１４に対するオプションキーの記録処理（書き込み）のシーケンスの一例について説明する。
【０１８７】
図２１には、左から、
カメラ装置２００、
カメラコントロールユニット（ＣＣＵ）１１０、
コントローラ（リモコン）１２２、
これら３種類の装置を示している。
これら３種類の装置は、相互に有線または無線での通信が可能な構成を持つ。
【０１８８】
さらに、図２１には、カメラ装置２００の内部構成要素中、以下の各構成要素を示している。
電子ペーパーモジュール２１０、
メモリ１３３、
制御部１３２、
通信部１３８、
【０１８９】
さらに、電子ペーパーモジュール２１０内部の構成要素として、
電子ペーパー表示部２１１、
セキュアメモリ２１４、
モジュール制御部２１１、
これらの構成要素を示している。
【０１９０】
図２１に示すシーケンス図は、電子ペーパーモジュール２００を装着したカメラ装置２００に接続されたコントローラ（リモコン）１２２が、オプションキーを電子ペーパーモジュール２００内のセキュアメモリ２１４に記録する処理のシーケンスの一例である。
図２１に示すステップＳ７１〜Ｓ７４の順に処理が進行する。以下、各ステップの処理について説明する。
【０１９１】
（ステップＳ７１）
まず、ステップＳ７１において、オプションキーを電子ペーパーモジュール２００内のセキュアメモリ２１４に記録しようとするコントローラ（リモコン）１２２は、カメラ装置２００に装着された電子ペーパーモジュール２１０の制御部２１２に対してセキュアメモリのアクセス要求を出力する。
【０１９２】
（ステップＳ７２）
コントローラ（リモコン）１２２から、セキュアメモリのアクセス要求を入力した電子ペーパーモジュール２１０の制御部２１２は、ステップＳ７２において、コントローラ（リモコン）１２２が正当なセキュアメモリアクセス権を有する機器であるか、すなわち予め認定された正当機器であるか否かを確認するため、認証処理を実行する。
【０１９３】
認証処理は、例えば、予め規定された認証アルゴリズムに従って実行される。
例えば公開鍵暗号方式や共通鍵暗号方式に従った既存の認証処理が利用可能である。
正当なセキュアメモリアクセス権を有する機器には、予め認証処理に必要なデータ（鍵等の認証用データ）が格納されており、認証処理は、この認証用データを保持するか否かの確認処理として実行される。
また、機器の認証に限らず、コントローラ（リモコン）１２２側のオペレータ等のユーザによる入力パスワードの照合に基づくユーザ認証に基づく処理を実行してもよい。
【０１９４】
ステップＳ７２における認証処理において、コントローラ（リモコン）１２２との認証が成立し、コントローラ（リモコン）１２２が正当なセキュアメモリアクセス権を有する機器であることが確認された場合は、次のステップＳ７３の処理を実行する。
【０１９５】
ただし、ステップＳ７２における認証処理において、コントローラ（リモコン）１２２との認証が不成立となり、コントローラ（リモコン）１２２が正当なセキュアメモリアクセス権を有する機器であることが確認されなかった場合は、次のステップＳ７３の処理は実行されず、以下の処理は中止される。
この場合、コントローラ（リモコン）１２２による電子ペーパーモジュール２００内のセキュアメモリ２１４に対するオプションキー書き込み処理は実行されない。
【０１９６】
（ステップＳ７３）
ステップＳ７２における認証処理において、コントローラ（リモコン）１２２との認証が成立し、コントローラ（リモコン）１２２が正当なセキュアメモリアクセス権を有する機器であることが確認された場合は、ステップＳ７３の処理を実行する。
【０１９７】
ステップＳ７３では、コントローラ（リモコン）１２２が電子ペーパーモジュール２００内のセキュアメモリ２１４にアクセスし、セキュアメモリ２１４に対するオプションキー書き込み処理を実行する。
【０１９８】
（ステップＳ７４）
ステップＳ７４は、カメラ装置２００に装着した電子ペーパーモジュール２１１内部のセキュアメモリ２１４におけるオプションキー記録処理である。
コントローラ（リモコン）１２２から送信されたオプションキーが、電子ペーパーモジュール２１１内部のセキュアメモリ２１４に記録される。
【０１９９】
なお、図２１に示すシーケンス図では、コントローラ（リモコン）１２２が、オプションキーを有しており、コントローラ（リモコン）１２２が出力したオプションキーを電子ペーパーモジュール２１１内部のセキュアメモリ２１４に記録する処理である。
オプションキーは、コントローラ（リモコン）１２２に限らず、その他の機器を利用して記録することも可能である。
【０２００】
例えば、図２２に示すように、ＵＳＢメモリ等の外部メモリ１５０にオプションキーを格納し、外部メモリ１５０に格納されたオプションキーを電子ペーパーモジュール２１１内部のセキュアメモリ２１４に記録する処理を行ってもよい。
【０２０１】
ただし、この場合も、電子ペーパーモジュール２１０の制御部２１２は、外部メモリ１５０が正当なセキュアメモリアクセス権を有する機器であるか、すなわち予め認定された正当機器であるか否かを確認するため、認証処理を実行する。
電子ペーパーモジュール２１０の制御部２１２と、外部メモリ１５０の制御部との間で認証処理が実行され、認証成立を条件として、外部メモリ１５０に格納されたオプションキーが、電子ペーパーモジュール２１１内部のセキュアメモリ２１４に記録される。
【０２０２】
さらに、図２３に示すように、カメラコントロールユニット（ＣＣＵ）１１０にオプションキーを格納し、カメラコントロールユニット（ＣＣＵ）１１０に格納されたオプションキーを電子ペーパーモジュール２１１内部のセキュアメモリ２１４に記録する処理を行ってもよい。
【０２０３】
ただし、この場合も、電子ペーパーモジュール２１０の制御部２１２は、カメラコントロールユニット（ＣＣＵ）１１０が正当なセキュアメモリアクセス権を有する機器であるか、すなわち予め認定された正当機器であるか否かを確認するため、認証処理を実行する。
電子ペーパーモジュール２１０の制御部２１２と、外カメラコントロールユニット（ＣＣＵ）１１０の制御部との間で認証処理が実行され、認証成立を条件として、カメラコントロールユニット（ＣＣＵ）１１０に格納されたオプションキーが、電子ペーパーモジュール２１１内部のセキュアメモリ２１４に記録される。
【０２０４】
次に、図２４を参照して、電子ペーパーモジュール２１１内部のセキュアメモリ２１４に格納されたオプションキーの利用処理シーケンスについて説明する。
【０２０５】
先に説明したように、オプションキーは、カメラ装置２００において特定の処理を実行可能に設定するために必要となるキーデータである。
例えば、先に図２０を参照して説明したオプションキー識別子＝１０５のオプションキーは、カメラからの８Ｋ画像の出力可能な設定にするために必要となるオプションキーである。
オプションキー１０５の読出しに成功したカメラは、８Ｋ画像のカメラからの出力が許可される。
オプションキー１０５の読出しに失敗したカメラは、８Ｋ画像のカメラからの出力が許可されず、８Ｋ画像出力不可の設定となる。
【０２０６】
図２４は、例えば８Ｋ画像出力等、オプションキーの読出しを条件として許可される処理を実行する場合の処理シーケンスを説明する図である。
図２４に示すシーケンス図には、左から、カメラ装置２００の内部構成要素中、以下の各構成要素を示している。
電子ペーパーモジュール２１０、
制御部１３２、
メモリ１３３、
記憶部１３４、
【０２０７】
さらに、電子ペーパーモジュール２１０内部の構成要素として、
電子ペーパー表示部２１１、
セキュアメモリ２１４、
モジュール制御部２１１、
これらの構成要素を示している。
【０２０８】
図２４に示すシーケンス図は、電子ペーパーモジュール２００を装着したカメラ装置２００が、電子ペーパーモジュール２００内のセキュアメモリ２１４から、オプションキーを読み出して、オプションキーを適用した処理を行い、特定のデータ処理を開始する処理のシーケンスの一例である。
なお、図２３に示す例では、オプションキーは、カメラ装置２００が実行する処理プログラムの起動処理に必要なデータとしている。
図２３に示すステップＳ８１〜Ｓ８５の順に処理が進行する。以下、各ステップの処理について説明する。
【０２０９】
（ステップＳ８１）
まず、ステップＳ８１において、オプションキーを電子ペーパーモジュール２００内のセキュアメモリ２１４から読み出そうとするカメラ装置２００の制御部１３２は、カメラ装置２００に装着された電子ペーパーモジュール２１０の制御部２１２に対してセキュアメモリのアクセス要求を出力する。
【０２１０】
（ステップＳ８２）
カメラ装置２００の制御部１３２から、セキュアメモリのアクセス要求を入力した電子ペーパーモジュール２１０の制御部２１２は、ステップＳ８２において、カメラ装置２００が正当なセキュアメモリアクセス権を有する機器であるか、すなわち予め認定された正当機器であるか否かを確認するため、認証処理を実行する。
【０２１１】
認証処理は、例えば、予め規定された認証アルゴリズムに従って実行される。
例えば公開鍵暗号方式や共通鍵暗号方式に従った認証処理が実行される。正当なセキュアメモリアクセス権を有する機器には、予め認証処理に必要なデータ（鍵等の認証用データ）が格納されており、認証処理は、この認証用データを保持するか否かの確認処理として実行される。
なお、機器認証に限らず、コントローラ（リモコン）１２２側のオペレータ等のユーザによる入力パスワードの照合に基づくユーザ認証に基づく処理を実行してもよい。
【０２１２】
ステップＳ８２における認証処理において、カメラ装置２００との認証が成立し、カメラ装置２００が正当なセキュアメモリアクセス権を有する機器であることが確認された場合は、次のステップＳ８３の処理を実行する。
【０２１３】
ただし、ステップＳ８２における認証処理において、カメラ装置２００との認証が不成立となり、カメラ装置２００が正当なセキュアメモリアクセス権を有する機器であることが確認されなかった場合は、次のステップＳ８３の処理は実行されず、以下の処理は中止される。
この場合、カメラ装置２００による電子ペーパーモジュール２００内のセキュアメモリ２１４からのオプションキーの読み取り処理は実行されない。その結果、オプションキーが必要となる処理、例えば８Ｋ画像の出力処理等は実行できない設定となる。
【０２１４】
（ステップＳ８３）
ステップＳ８２における認証処理において、カメラ装置２００との認証が成立し、カメラ装置２００が正当なセキュアメモリアクセス権を有する機器であることが確認された場合は、ステップＳ８３の処理を実行する。
【０２１５】
ステップＳ８３では、カメラ装置２００の制御部１３２が電子ペーパーモジュール２００内のセキュアメモリ２１４にアクセスし、セキュアメモリ２１４に記録されたオプションキーの読出し処理を実行する。
【０２１６】
（ステップＳ８４）
ステップＳ８４は、カメラ装置２００の制御部１３２が、カメラ装置２００に装着した電子ペーパーモジュール２１１内部のセキュアメモリ２１４からオプションキーを取得する処理である。
【０２１７】
（ステップＳ８５）
次に、カメラ装置２００の制御部１３２は、ステップＳ８５において、電子ペーパーモジュール２１１内部のセキュアメモリ２１４からオプションキーを利用して、カメラ装置２００において実行する処理に適用するプログラムを起動する。
【０２１８】
例えばプログラムは、カメラ装置２００から８Ｋ画像の出力を行うために必要となる８Ｋ画像フォーマットの生成プログラムである。
電子ペーパーモジュール２１１内部のセキュアメモリ２１４から取得したオプションキーは、例えば、このプログラムを起動するために必要となるパスワード、あるいは暗号鍵として利用される。
【０２１９】
図２４を参照して説明したように、オプションキーを取得できたカメラ装置のみが、オプションキー対応の特定処理を実行することが可能となる。
【０２２０】
なお、図２４に示すシーケンスにおいて、電子ペーパーモジュール２１１内部のセキュアメモリ２１４からカメラ装置２００に読み取られたオプションキーに基づいて実行できる処理対応のソフトウェア（プログラム）情報等のオプションキー対応情報を電子ペーパーモジュール２１１の電子ペーパー表示部２１１に表示する処理を行ってもよい。
【０２２１】
具体的なシーケンス図を図２５に示す。
図２５に示すシーケンス図は、図２４を参照して説明したシーケンス図にステップＳ８３ｂ、ステップＳ８３ｃの処理を追加したシーケンス図である。
これらの各ステップについて説明する。
【０２２２】
（ステップＳ８３ｂ）
ステップＳ８３において、カメラ装置２００が電子ペーパーモジュール２００内のセキュアメモリ２１４からオプションキーの読出し処理を実行すると、電子ペーパーモジュール２１１のモジュール制御部２１２は、読み出されたオプションキーに基づいて実行が許容される処理やソフトウェア情報から構成されるキー対応情報を電子ペーパーモジュール２１１の電子ペーパー表示部２１１に表示する処理を実行する。
【０２２３】
具体的には、例えば、読み出されたオプションキーが８Ｋ画像の撮影、出力を可能とするソフトウェア対応のオプションキーである場合、表示情報として［８Ｋ］を電子ペーパー表示部２１１に表示する処理を実行する。
【０２２４】
（ステップＳ８３ｃ）
ステップＳ８３ｃは、電子ペーパーモジュール２１１の電子ペーパー表示部２１１における情報表示処理である。ステップＳ８３ｂにおいて、電子ペーパーモジュール２１１のモジュール制御部２１２の実行する表示処理に従った情報（オプションキー対応情報）の表示を行う。
具体的には、カメラ装置２００によって読み取られたオプションキーによって処理が可能となる処理内容を示す情報、例えば［８Ｋ］の表示処理を行う。
【０２２５】
なお、このオプションキー対応情報の表示は、先に説明したカメラ識別子（ＩＤ）と併せた合成情報として表示する構成としてもよい。
【０２２６】
［８．内視鏡手術システムへの応用例］
本開示に係る技術（本技術）は、様々な製品へ応用することができる。例えば、本開示に係る技術は、内視鏡手術システムに適用されてもよい。
【０２２７】
図２６は、本開示に係る技術（本技術）が適用され得る内視鏡手術システムの概略的な構成の一例を示す図である。
【０２２８】
図２６では、術者（医師）１１１３１が、内視鏡手術システム１１０００を用いて、患者ベッド１１１３３上の患者１１１３２に手術を行っている様子が図示されている。図示するように、内視鏡手術システム１１０００は、内視鏡１１１００と、気腹チューブ１１１１１やエネルギー処置具１１１１２等の、その他の術具１１１１０と、内視鏡１１１００を支持する支持アーム装置１１１２０と、内視鏡下手術のための各種の装置が搭載されたカート１１２００と、から構成される。
【０２２９】
内視鏡１１１００は、先端から所定の長さの領域が患者１１１３２の体腔内に挿入される鏡筒１１１０１と、鏡筒１１１０１の基端に接続されるカメラヘッド１１１０２と、から構成される。図示する例では、硬性の鏡筒１１１０１を有するいわゆる硬性鏡として構成される内視鏡１１１００を図示しているが、内視鏡１１１００は、軟性の鏡筒を有するいわゆる軟性鏡として構成されてもよい。
【０２３０】
鏡筒１１１０１の先端には、対物レンズが嵌め込まれた開口部が設けられている。内視鏡１１１００には光源装置１１２０３が接続されており、当該光源装置１１２０３によって生成された光が、鏡筒１１１０１の内部に延設されるライトガイドによって当該鏡筒の先端まで導光され、対物レンズを介して患者１１１３２の体腔内の観察対象に向かって照射される。なお、内視鏡１１１００は、直視鏡であってもよいし、斜視鏡又は側視鏡であってもよい。
【０２３１】
カメラヘッド１１１０２の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ：  Ｃａｍｅｒａ  Ｃｏｎｔｒｏｌ  Ｕｎｉｔ）１１２０１に送信される。
【０２３２】
ＣＣＵ１１２０１は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）等によって構成され、内視鏡１１１００及び表示装置１１２０２の動作を統括的に制御する。さらに、ＣＣＵ１１２０１は、カメラヘッド１１１０２から画像信号を受け取り、その画像信号に対して、例えば現像処理（デモザイク処理）等の、当該画像信号に基づく画像を表示するための各種の画像処理を施す。
【０２３３】
表示装置１１２０２は、ＣＣＵ１１２０１からの制御により、当該ＣＣＵ１１２０１によって画像処理が施された画像信号に基づく画像を表示する。
【０２３４】
光源装置１１２０３は、例えばＬＥＤ（ｌｉｇｈｔ  ｅｍｉｔｔｉｎｇ  ｄｉｏｄｅ）等の光源から構成され、術部等を撮影する際の照射光を内視鏡１１１００に供給する。
【０２３５】
入力装置１１２０４は、内視鏡手術システム１１０００に対する入力インタフェースである。ユーザは、入力装置１１２０４を介して、内視鏡手術システム１１０００に対して各種の情報の入力や指示入力を行うことができる。例えば、ユーザは、内視鏡１１１００による撮像条件（照射光の種類、倍率及び焦点距離等）を変更する旨の指示等を入力する。
【０２３６】
処置具制御装置１１２０５は、組織の焼灼、切開又は血管の封止等のためのエネルギー処置具１１１１２の駆動を制御する。気腹装置１１２０６は、内視鏡１１１００による視野の確保及び術者の作業空間の確保の目的で、患者１１１３２の体腔を膨らめるために、気腹チューブ１１１１１を介して当該体腔内にガスを送り込む。レコーダ１１２０７は、手術に関する各種の情報を記録可能な装置である。プリンタ１１２０８は、手術に関する各種の情報を、テキスト、画像又はグラフ等各種の形式で印刷可能な装置である。
【０２３７】
なお、内視鏡１１１００に術部を撮影する際の照射光を供給する光源装置１１２０３は、例えばＬＥＤ、レーザ光源又はこれらの組み合わせによって構成される白色光源から構成することができる。ＲＧＢレーザ光源の組み合わせにより白色光源が構成される場合には、各色（各波長）の出力強度及び出力タイミングを高精度に制御することができるため、光源装置１１２０３において撮像画像のホワイトバランスの調整を行うことができる。また、この場合には、ＲＧＢレーザ光源それぞれからのレーザ光を時分割で観察対象に照射し、その照射タイミングに同期してカメラヘッド１１１０２の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０２３８】
また、光源装置１１２０３は、出力する光の強度を所定の時間ごとに変更するようにその駆動が制御されてもよい。その光の強度の変更のタイミングに同期してカメラヘッド１１１０２の撮像素子の駆動を制御して時分割で画像を取得し、その画像を合成することにより、いわゆる黒つぶれ及び白とびのない高ダイナミックレンジの画像を生成することができる。
【０２３９】
また、光源装置１１２０３は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Ｎａｒｒｏｗ  Ｂａｎｄ  Ｉｍａｇｉｎｇ）が行われる。あるいは、特殊光観察では、励起光を照射することにより発生する蛍光により画像を得る蛍光観察が行われてもよい。蛍光観察では、体組織に励起光を照射し当該体組織からの蛍光を観察すること（自家蛍光観察）、又はインドシアニングリーン（ＩＣＧ）等の試薬を体組織に局注するとともに当該体組織にその試薬の蛍光波長に対応した励起光を照射し蛍光像を得ること等を行うことができる。光源装置１１２０３は、このような特殊光観察に対応した狭帯域光及び／又は励起光を供給可能に構成され得る。
【０２４０】
図２７は、図２６に示すカメラヘッド１１１０２及びＣＣＵ１１２０１の機能構成の一例を示すブロック図である。
【０２４１】
カメラヘッド１１１０２は、レンズユニット１１４０１と、撮像部１１４０２と、駆動部１１４０３と、通信部１１４０４と、カメラヘッド制御部１１４０５と、を有する。ＣＣＵ１１２０１は、通信部１１４１１と、画像処理部１１４１２と、制御部１１４１３と、を有する。カメラヘッド１１１０２とＣＣＵ１１２０１とは、伝送ケーブル１１４００によって互いに通信可能に接続されている。
【０２４２】
レンズユニット１１４０１は、鏡筒１１１０１との接続部に設けられる光学系である。鏡筒１１１０１の先端から取り込まれた観察光は、カメラヘッド１１１０２まで導光され、当該レンズユニット１１４０１に入射する。レンズユニット１１４０１は、ズームレンズ及びフォーカスレンズを含む複数のレンズが組み合わされて構成される。
【０２４３】
撮像部１１４０２を構成する撮像素子は、１つ（いわゆる単板式）であってもよいし、複数（いわゆる多板式）であってもよい。撮像部１１４０２が多板式で構成される場合には、例えば各撮像素子によってＲＧＢそれぞれに対応する画像信号が生成され、それらが合成されることによりカラー画像が得られてもよい。あるいは、撮像部１１４０２は、３Ｄ（ｄｉｍｅｎｓｉｏｎａｌ）表示に対応する右目用及び左目用の画像信号をそれぞれ取得するための１対の撮像素子を有するように構成されてもよい。３Ｄ表示が行われることにより、術者１１１３１は術部における生体組織の奥行きをより正確に把握することが可能になる。なお、撮像部１１４０２が多板式で構成される場合には、各撮像素子に対応して、レンズユニット１１４０１も複数系統設けられ得る。
【０２４４】
また、撮像部１１４０２は、必ずしもカメラヘッド１１１０２に設けられなくてもよい。例えば、撮像部１１４０２は、鏡筒１１１０１の内部に、対物レンズの直後に設けられてもよい。
【０２４５】
駆動部１１４０３は、アクチュエータによって構成され、カメラヘッド制御部１１４０５からの制御により、レンズユニット１１４０１のズームレンズ及びフォーカスレンズを光軸に沿って所定の距離だけ移動させる。これにより、撮像部１１４０２による撮像画像の倍率及び焦点が適宜調整され得る。
【０２４６】
通信部１１４０４は、ＣＣＵ１１２０１との間で各種の情報を送受信するための通信装置によって構成される。通信部１１４０４は、撮像部１１４０２から得た画像信号をＲＡＷデータとして伝送ケーブル１１４００を介してＣＣＵ１１２０１に送信する。
【０２４７】
また、通信部１１４０４は、ＣＣＵ１１２０１から、カメラヘッド１１１０２の駆動を制御するための制御信号を受信し、カメラヘッド制御部１１４０５に供給する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。
【０２４８】
なお、上記のフレームレートや露出値、倍率、焦点等の撮像条件は、ユーザによって適宜指定されてもよいし、取得された画像信号に基づいてＣＣＵ１１２０１の制御部１１４１３によって自動的に設定されてもよい。後者の場合には、いわゆるＡＥ（Ａｕｔｏ  Ｅｘｐｏｓｕｒｅ）機能、ＡＦ（Ａｕｔｏ  Ｆｏｃｕｓ）機能及びＡＷＢ（Ａｕｔｏ  Ｗｈｉｔｅ  Ｂａｌａｎｃｅ）機能が内視鏡１１１００に搭載されていることになる。
【０２４９】
カメラヘッド制御部１１４０５は、通信部１１４０４を介して受信したＣＣＵ１１２０１からの制御信号に基づいて、カメラヘッド１１１０２の駆動を制御する。
【０２５０】
通信部１１４１１は、カメラヘッド１１１０２との間で各種の情報を送受信するための通信装置によって構成される。通信部１１４１１は、カメラヘッド１１１０２から、伝送ケーブル１１４００を介して送信される画像信号を受信する。
【０２５１】
また、通信部１１４１１は、カメラヘッド１１１０２に対して、カメラヘッド１１１０２の駆動を制御するための制御信号を送信する。画像信号や制御信号は、電気通信や光通信等によって送信することができる。
【０２５２】
画像処理部１１４１２は、カメラヘッド１１１０２から送信されたＲＡＷデータである画像信号に対して各種の画像処理を施す。
【０２５３】
制御部１１４１３は、内視鏡１１１００による術部等の撮像、及び、術部等の撮像により得られる撮像画像の表示に関する各種の制御を行う。例えば、制御部１１４１３は、カメラヘッド１１１０２の駆動を制御するための制御信号を生成する。
【０２５４】
また、制御部１１４１３は、画像処理部１１４１２によって画像処理が施された画像信号に基づいて、術部等が映った撮像画像を表示装置１１２０２に表示させる。この際、制御部１１４１３は、各種の画像認識技術を用いて撮像画像内における各種の物体を認識してもよい。例えば、制御部１１４１３は、撮像画像に含まれる物体のエッジの形状や色等を検出することにより、鉗子等の術具、特定の生体部位、出血、エネルギー処置具１１１１２の使用時のミスト等を認識することができる。制御部１１４１３は、表示装置１１２０２に撮像画像を表示させる際に、その認識結果を用いて、各種の手術支援情報を当該術部の画像に重畳表示させてもよい。手術支援情報が重畳表示され、術者１１１３１に提示されることにより、術者１１１３１の負担を軽減することや、術者１１１３１が確実に手術を進めることが可能になる。
【０２５５】
カメラヘッド１１１０２及びＣＣＵ１１２０１を接続する伝送ケーブル１１４００は、電気信号の通信に対応した電気信号ケーブル、光通信に対応した光ファイバ、又はこれらの複合ケーブルである。
【０２５６】
ここで、図示する例では、伝送ケーブル１１４００を用いて有線で通信が行われていたが、カメラヘッド１１１０２とＣＣＵ１１２０１との間の通信は無線で行われてもよい。
【０２５７】
以上、本開示に係る技術が適用され得る内視鏡手術システムの一例について説明した。本開示に係る電子ペーパー表示部、あるいはセキュアメモリを有する電子ペーパーモジュールは、例えば、内視鏡１１１００、あるいは内視鏡と一体となった支持アーム装置１１１２０等に構成することが可能である。
内視鏡１１１００や支持アーム装置１１１２０に本開示に係る電子ペーパー表示部、あるいはセキュアメモリを有する電子ペーパーモジュールを構成することで、内視鏡の識別子（ＩＤ）や、利用者等の付加情報を常に確認することが可能となり、また容易に書き換えることが可能となる。
また、オプションキーを格納したセキュアメモリを構成することで、内視鏡１１１００の実行可能な処理を規定することが可能となる。
【０２５８】
なお、ここでは、一例として内視鏡手術システムについて説明したが、本開示に係る技術は、その他、例えば、顕微鏡手術システム等に適用されてもよい。
【０２５９】
［９．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２６０】
なお、本明細書において開示した技術は、以下のような構成をとることができる。
（１）  カメラ装置の識別情報を表示する電子ペーパー表示部と、
所定の操作に対応して、前記識別情報の表示制御を行う制御部を有し、
前記表示部に表示される前記識別情報は、前記表示部に対する電力供給によらず表示が維持される、
表示装置。
【０２６１】
（２）  前記制御部は、
前記所定の操作として、前記カメラ装置と通信する外部装置からの通信部を介する前記識別情報、または前記識別情報に対応する指定情報の入力に応じて、前記電子ペーバ表示部に前記識別情報を表示する（１）に記載の表示装置。
【０２６２】
（３）  前記制御部は、
前記所定の操作として、前記カメラ装置に装着された外部メモリから、前記識別情報、または前記識別情報に対応する指定情報の入力に応じて、前記電子ペーバ表示部に前記識別情報を表示する（１）または（２）に記載の表示装置。
【０２６３】
（４）  前記制御部は、
前記所定の操作として、前記カメラ装置内の内部メモリから、前記識別情報、または前記識別情報に対応する指定情報の入力に応じて、前記電子ペーバ表示部に前記識別情報を表示する（１）〜（３）いずれかに記載の表示装置。
【０２６４】
（５）  前記制御部は、
前記識別情報と付加情報との合成情報を前記電子ペーパー表示部に表示する（１）〜（４）いずれかに記載の表示装置。
【０２６５】
（６）  前記制御部は、
前記付加情報を前記カメラ装置内の内部メモリから取得して、前記識別情報との合成処理を実行して前記合成情報を生成する（５）に記載の表示装置。
【０２６６】
（７）  前記付加情報は、
前記カメラ装置を利用する会社名、または利用者名、または前記カメラ装置固有のＩＰアドレス、または前記カメラ装置の実行可能な処理またはソフトウェア情報の少なくともいずれかの情報を含む（５）または（６）に記載の表示装置。
【０２６７】
（８）  前記制御部は、
ユーザの操作、または所定の条件に応じて、前記合成情報の表示態様の切り替え制御を行う（５）〜（７）いずれかに記載の表示装置。
【０２６８】
（９）  前記電子ペーパーモジュールは、
前記電子ペーパー表示部と、セキュアメモリを有し、
前記セキュアメモリは、
前記カメラ装置において、特定の処理を実行可能とするためのキーデータであるオプションキーを格納した構成である（１）〜（８）いずれかに記載の表示装置。
【０２６９】
（１０）  前記オプションキーは、
前記カメラ装置からの許容出力データフォーマット、またはカメラ装置の許容接続構成、カメラ装置の許容実行機能の少なくともいずれかを規定するために必要となるデータである（９）に記載の表示装置。
【０２７０】
（１１）  前記電子ペーパーモジュールは、さらに、
モジュール制御部を有し、
前記モジュール制御部は、
前記セキュアメモリに対するアクセス要求装置との認証処理を実行し、認証成立を条件として、前記アクセス要求装置による前記セキュアメモリに対するアクセスを許容する処理を実行する（９）または（１０）に記載の表示装置。
【０２７１】
（１２）  撮像部と、
カメラ装置の識別情報を表示する電子ペーパー表示部と、
所定の操作に対応して、前記識別情報を表示する制御部を有し、
前記表示部に表示される前記識別情報は、前記表示部に対する電力供給によらず表示が維持される、
カメラ装置。
【０２７２】
（１３）  前記制御部は、
前記所定の操作として、外部装置、または外部メモリ、または前記カメラ装置内の内部メモリから、前記識別情報、または前記識別情報に対応する指定情報の入力に応じて、前記電子ペーバ表示部に識別情報を表示する（１２）に記載のカメラ装置。
【０２７３】
（１４）  前記制御部は、
前記識別情報と付加情報との合成情報を前記電子ペーパー表示部に表示する（１２）または（１３）に記載のカメラ装置。
【０２７４】
（１５）  前記電子ペーパー表示部は、
前記カメラ装置に着脱可能な電子ペーパーモジュール内に構成されている（１２）〜（１４）いずれかに記載のカメラ装置。
【０２７５】
（１６）  前記電子ペーパーモジュールは、
前記電子ペーパー表示部と、セキュアメモリを有し、
前記セキュアメモリは、
前記カメラ装置からの許容出力データフォーマット、またはカメラ装置の許容接続構成、カメラ装置の許容実行機能の少なくともいずれかを規定するために必要となるオプションキーを格納した構成である（１５）に記載のカメラ装置。
【０２７６】
（１７）  前記制御部は、
前記電子ペーパーモジュールとの認証処理を実行し、
認証成立を条件として前記セキュアメモリにアクセスする（１６）に記載のカメラ装置。
【０２７７】
（１８）  表示装置において実行する識別情報表示方法であり、
制御部が、カメラ装置の識別情報、または識別情報に対応する指定情報の入力に応じて表示情報を生成し、
生成した前記表示情報を、電力供給によらず表示が維持される電子ペーバ表示部に表示する識別情報表示方法。
【０２７８】
（１９）  カメラ装置において実行する情報処理方法であり、
前記カメラ装置は、電力供給によらず表示が維持される電子ペーパー表示部を有する電子ペーパーモジュールを装着した構成であり、
前記カメラ装置の制御部が、前記電子ペーパーモジュールとの認証処理を実行するステップと、
前記制御部が、前記認証処理の成立を条件として、前記電子ペーパーモジュール内のセキュアメモリからオプションキーを取得するステップと、
前記制御部が、前記オプションキーの取得を条件として許容される処理を実行するステップと、
を実行する情報処理方法。
【０２７９】
（２０）  カメラ装置において情報処理を実行させるプログラムであり、
前記カメラ装置は、電力供給によらず表示が維持される電子ペーパー表示部を有する電子ペーパーモジュールを装着した構成であり、
前記プログラムは、
前記カメラ装置の制御部に、前記電子ペーパーモジュールとの認証処理を実行させるステップと、
前記制御部に、前記認証処理の成立を条件として、前記電子ペーパーモジュール内のセキュアメモリからオプションキーを取得させるステップと、
前記制御部が、前記オプションキーの取得を条件として許容される処理を実行させるステップと、
を実行させるプログラム。
【０２８０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２８１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２８２】
以上、説明したように、本開示の一実施例の構成によれば、カメラ識別情報を電子ペーパー表示部に表示して、電源オフ時にも識別情報の確認を可能とした構成が実現される。
具体的には、例えば、カメラ識別情報を表示する電子ペーパー表示部と、表示する識別情報、または識別情報の指定情報を入力して表示処理を実行する制御部を有する。制御部は、外部装置、または外部メモリ、またはカメラの内部メモリから、識別情報、または識別情報の指定情報を入力して、識別情報、または識別情報と付加情報の合成情報を電子ペーパー表示部に表示する。また、電子ペーパー表示モジュールはカメラ装置において実行可能な処理を規定するオプションキーを格納したセキュアメモリを有する。
本構成により、カメラ識別情報を電子ペーパー表示部に表示して、電源オフ時にも識別情報の確認を可能とした構成が実現される。
【符号の説明】
【０２８３】
１０・・カメラ装置、１１・・プレート装着部、１２・・カメラ識別子記録プレート、１００・・カメラ装置、１０１・・電子ペーパー表示部、１１０・・カメラコントロールユニット（ＣＣＵ）、１２１・・中継器（ＨＵＢ）、１２２・・コントローラ（リモコン）、１２３・・モニタ、１２４・・中継器（ワイヤレス中継器）、１３１・・電子ペーパー表示部（ＥＰＤ：Ｅｌｅｃｔｒｉｃ・・Ｐａｐｅｒ・・Ｄｉｓｐｌａｙ）、１３２・・制御部（ＣＰＵ）、１３３・・メモリ（ＲＡＭ，ＲＯＭ等）、１３４・・記憶部（ＨＤ等）、１３５・・入力部、１３６・・入出力インタフェース、１３７・・画像処理部、１３８・・通信部、１４１・・撮像部、１４２・・ＡＤ変換部、１４３・・ＤＳＰ（Ｄｉｇｉｔａｌ・・Ｓｉｇｎａｌ・・Ｐｒｏｃｅｓｓｏｒ）、１５０・・外部メモリ、２００・・カメラ装置、２０１・・電子ペーパーモジュール装着スロット、２１０・・電子ペーパー表示部、２１２・・モジュール制御部（ＣＰＵ）、２１３・・メモリ、２１４・・セキュアメモリ、２１５・・接続端子、１１０００・・内視鏡手術システム、１１１００・・内視鏡、１１１０１・・鏡筒、１１１０２・・カメラヘッド、１１１１０・・術具、１１１１１・・気腹チューブ、１１１１２・・エネルギー処置具、１１１２０・・支持アーム装置、１１２００・・カート、１１２０１・・カメラコントロールユニット（ＣＣＵ）、１１２０２・・表示装置、１１２０３・・光源装置、１１２０４・・入力装置、１１２０５・・処置具制御装置、１１２０６・・気腹装置、１１２０７・・レコーダ、１１２０８・・プリンタ、１１４０１・・レンズユニット、１１４０２・・撮像部、１１４０３・・駆動部、１１４０４・・通信部、１１４０５・・カメラヘッド制御部、１１４１１・・通信部、１１４１２・・画像処理部、１１４１３・・制御部
【図１】
2019087812.tif 000003
【図２】
2019087812.tif 000004
【図３】
2019087812.tif 000005
【図４】
2019087812.tif 000006
【図５】
2019087812.tif 000007
【図６】
2019087812.tif 000008
【図７】
2019087812.tif 000009
【図８】
2019087812.tif 000010
【図９】
2019087812.tif 000011
【図１０】
2019087812.tif 000012
【図１１】
2019087812.tif 000013
【図１２】
2019087812.tif 000014
【図１３】
2019087812.tif 000015
【図１４】
2019087812.tif 000016
【図１５】
2019087812.tif 000017
【図１６】
2019087812.tif 000018
【図１７】
2019087812.tif 000019
【図１８】
2019087812.tif 000020
【図１９】
2019087812.tif 000021
【図２０】
2019087812.tif 000022
【図２１】
2019087812.tif 000023
【図２２】
2019087812.tif 000024
【図２３】
2019087812.tif 000025
【図２４】
2019087812.tif 000026
【図２５】
2019087812.tif 000027
【図２６】
2019087812.tif 000028
【図２７】
2019087812.tif 000029
【国際調査報告】
2019087812.tif 000030
2019087812.tif 000031
2019087812.tif 000032
2019087812.tif 000033
2019087812.tif 000034
2019087812.tif 000035